(57)【要約】電子デバイスを再生利用するための消費者動作型キオスクが、本明細書に開示される。いくつかの実施形態では、キオスクは、検査プレートが第１の位置にあるときに、電子デバイスを受領するように構成される、回転可能検査プレートを含む。キオスクは、検査プレートの少なくとも一部を含む視野を有する、カメラを含むことができる。キオスクは、電子デバイスに接続するように構成される、有線および／または無線コネクティビティデバイスと、有線および／または無線コネクティビティデバイスを介して、電子デバイスについての特性情報を受信し、検査プレートを第２の位置まで回転させ、検査プレートが第２の位置にあるときに、カメラを介して電子デバイスの１つ以上の画像を受信し、少なくとも部分的に特性情報および１つ以上の画像に基づいて、電子デバイスの提案価格の決定を促進するように構成される、１つ以上のプロセッサとを含むことができる。
2021530786.tif 000002
【特許請求の範囲】
【請求項１】
ユーザから受領される電子デバイスを評価するように構成される消費者動作型キオスクであって、前記キオスクは、
筐体と、
第１の位置と第２の位置との間で前記筐体に対して回転可能な検査プレートであって、前記検査プレートは、前記検査プレートが前記第１の位置にあるときに、前記電子デバイスを受領するように構成される、検査プレートと、
前記検査プレートの少なくとも一部を含む視野を有するカメラと、
前記電子デバイスに接続するように構成される有線および／または無線コネクティビティデバイスと、
前記有線および／または無線コネクティビティデバイス、前記カメラ、および前記検査プレートに動作可能に接続される１つ以上のプロセッサであって、前記１つ以上のプロセッサは、
前記有線および／または無線コネクティビティデバイスを介して、前記電子デバイスについての特性情報を受信することと、
前記電子デバイスをその上に伴って、前記検査プレートを前記第１の位置から前記第２の位置まで回転させることと、
前記検査プレートが前記第２の位置にあるときに、前記カメラを介して前記電子デバイスの１つ以上の画像を受信することと、
少なくとも部分的に前記特性情報および前記１つ以上の画像に基づいて、前記電子デバイスの提案価格の決定を促進することと
を行うように構成される、１つ以上のプロセッサと
を備える、キオスク。
【請求項２】
前記検査プレートは、前記第２の位置から第３の位置まで回転し、前記電子デバイスを前記検査プレートから保管レセプタクルまで移動させるように構成される、請求項１に記載のキオスク。
【請求項３】
前記検査プレートが前記第２の位置にあるときに、前記検査プレートに近接して位置付けられる１つ以上のミラーをさらに備え、前記１つ以上のミラーは、前記カメラに、前記検査プレート上に位置付けられる前記電子デバイスの１つ以上の反射像を提供するように構成される、請求項１に記載のキオスク。
【請求項４】
前記１つ以上のミラーは、前記検査プレートに対して回転するように構成されるミラーフレームに搭載される、請求項３に記載のキオスク。
【請求項５】
前記カメラは、第１のカメラであり、前記キオスクはさらに、前記検査プレートの少なくとも一部を含む視野を有する第２のカメラを備える、請求項１に記載のキオスク。
【請求項６】
前記第１のカメラは、前記検査プレートが前記第２の位置にあるときに、前記検査プレートの上方に位置付けられ、前記第２のカメラは、前記検査プレートが前記第２の位置にあるときに、前記検査プレートの下方に位置付けられる、請求項５に記載のキオスク。
【請求項７】
前記有線および／または無線コネクティビティデバイスは、回転可能ハブに搭載される電気コネクタを含む、請求項１に記載のキオスク。
【請求項８】
前記電気コネクタは、第１の電気コネクタであり、前記キオスクはさらに、前記回転可能ハブから離間される第２の電気コネクタを備え、前記第２の電気コネクタは、後退位置と延在位置との間で平行移動するように構成され、前記第２の電気コネクタは、前記延在位置にあるときに、前記電子デバイスに電気的に接続するように構成される、請求項７に記載のキオスク。
【請求項９】
前記回転可能ハブから離間される第３の電気コネクタをさらに備え、前記第２の電気コネクタは、前記回転可能ハブの第１の側面に位置付けられ、前記第３の電気コネクタは、前記回転可能ハブの第１の側面の反対側の前記回転可能ハブの第２の側面に位置付けられ、前記第３の電気コネクタは、後退位置と延在位置との間で平行移動するように構成され、前記第３の電気コネクタは、前記延在位置にあるときに、前記電子デバイスに電気的に接続するように構成される、請求項８に記載のキオスク。
【請求項１０】
前記電子デバイスは、携帯電話である、請求項１に記載のキオスク。
【請求項１１】
前記検査プレートは、透明である、請求項１に記載のキオスク。
【請求項１２】
電子デバイスを評価するための消費者動作型キオスクであって、前記キオスクは、
筐体と、
第１の位置と第２の位置との間で前記筐体に対して回転可能な検査プレートであって、前記検査プレートは、前記第１の位置で電子デバイスを受領し、前記第１の位置および前記第２の位置で前記電子デバイスを支持するように構成される、検査プレートと、
前記検査プレートの少なくとも一部を含む視野を伴い、前記検査プレートが前記第２の位置にあるときに、前記電子デバイスの画像を捕捉するように構成されるカメラと
を備える、キオスク。
【請求項１３】
前記筐体の内面の少なくとも一部は、灰色であり、前記筐体内で放射される光を吸収するように構成される、請求項１２に記載のキオスク。
【請求項１４】
前記筐体の内面は、前記筐体内の眩光を低減させるように構成される黒色帯域を含む、請求項１２に記載のキオスク。
【請求項１５】
前記１つ以上のプロセッサは、前記ユーザが前記電子デバイスを購入する前記キオスクからの提案を容認する場合に、前記検査プレートを前記第２の位置から第３の位置まで回転させるように構成され、前記第２の位置は、前記第１の位置と前記第３の位置との間にある、請求項１２に記載のキオスク。
【請求項１６】
検査プレートは、評価サブアセンブリが前記第２の位置にあるときに水平である、請求項１５に記載のキオスク。
【請求項１７】
前記カメラは、前記筐体の上側部分に搭載される、請求項１２に記載のキオスク。
【請求項１８】
消費者動作型キオスクを使用して、電子デバイスを評価する方法であって、前記方法は、
第１の位置に前記キオスクの検査プレートを位置付けることと、
前記第１の位置で前記検査プレート上に前記電子デバイスを受領することと、
第１の位置から離れて第２の位置まで前記検査プレートを回転させることと、
前記検査プレートが前記第２の位置にあるときに、カメラを使用して前記電子デバイスを視覚的に評価することと、
前記ユーザに前記電子デバイスを購入する提案を提供することであって、前記提案は、少なくとも部分的に前記電子デバイスの視覚的評価に基づく、ことと
を含む、方法。
【請求項１９】
前記ユーザによる前記提案の容認に応答して、前記第２の位置から離れて第３の位置まで前記検査プレートを回転させ、保管レセプタクル内に前記電子デバイスを預けることをさらに含む、請求項１８に記載の方法。
【請求項２０】
前記検査プレートが前記第１の位置にあるときに、前記電子デバイスに接続されるべき電気コネクタを前記ユーザに提示することをさらに含む、請求項１８に記載の方法。
【請求項２１】
前記電気コネクタを介して、前記電子デバイスを電気的に評価することをさらに含む、請求項２０に記載の方法。
【請求項２２】
前記電子デバイスを電気的に評価した後に、前記電子デバイスから前記電気コネクタを自動的に接続解除することをさらに含む、請求項２１に記載の方法。
【発明の詳細な説明】
【技術分野】
【０００１】
（関連出願の相互参照）
本願は、それぞれ、参照することによってその全体として本明細書に組み込まれ、本開示の一部にされる、２０１９年２月１８日に出願された、「ＫＩＯＳＫ  ＦＯＲ  ＥＶＡＬＵＡＴＩＮＧ  ＡＮＤ  ＰＵＲＣＨＡＳＩＮＧ  ＵＳＥＤ  ＥＬＥＣＴＲＯＮＩＣ  ＤＥＶＩＣＥＳ」と題された米国仮出願第６２／８０７，１５３号、および２０１９年２月１２日に出願された、「ＣＯＮＮＥＣＴＯＲ  ＣＡＲＲＩＥＲ  ＦＯＲ  ＥＬＥＣＴＲＯＮＩＣ  ＤＥＶＩＣＥ  ＫＩＯＳＫ」と題された米国仮出願第６２／８０４，７１４号の優先権および利益を主張する。
【０００２】
本開示は、概して、ユーザから携帯電話および他の電子デバイスを買うための消費者動作型キオスクに関連する。
【背景技術】
【０００３】
現在、地球上に存在する人々よりも多くのモバイルデバイスが使用されている。携帯電話の急成長は、部分的に、これらのデバイスが進化する急速なペースに起因する。開発の急速なペースのため、消費者が、継続的にアップグレードし、最新の特徴またはより良好な運用計画を取得するにつれて、比較的に高い割合の携帯電話が、毎年交換される。米国環境保護庁によると、米国だけで、毎年、３億７千万個の携帯電話、ＰＤＡ、タブレット、および他の電子デバイスを廃棄している。何百個もの他の旧式または壊れた携帯電話、単に、がらくた用の引き出しの中に放り込まれる、または別様に好適な廃棄解決策が生じるまで保管される。
【０００４】
多くの携帯電話小売業者および携帯電話店は、現在、携帯電話の下取りまたは買取プログラムを提供しているが、多くの古い電話は、依然として、最終的にごみ埋立地に行く、または発展途上国で不適切に分解および廃棄される。しかしながら、残念なことに、携帯電話および類似デバイスは、典型的には、ヒ素、リチウム、カドミウム、銅、鉛、水銀、および亜鉛等の環境に有害であり得る物質を含有する。適切に廃棄されない場合、これらの有毒物質は、分解する埋立地から地下水に染み込み、ヒトおよび環境にとって潜在的に有害な結果を伴って土壌を汚染し得る。
【０００５】
小売業者の下取りまたは買取プログラムの代替として、消費者は、ショッピングモール、小売店、または他の公的にアクセス可能なエリア内に位置するセルフサービスキオスクを使用して、その使用済み携帯電話を再生利用および／または売却することができる。そのようなキオスクは、本願の出願人であるｅｃｏＡＴＭ，ＬＬＣによって運用され、これらのキオスクの側面は、例えば、米国特許第７，８８１，９６５号、第８，１９５，５１１号、第８，２００，５３３号、第８，２３９，２６２号、第８，４２３，４０４号、および第８，４６３，６４６号、米国仮特許出願第６２／１６９，０７２号、第６２／２０２，３３０号、第６２／３３２，７３６号、第６２／７８２，３０２、および第６２／７８２，９４７号、および米国特許出願第１４／４９８，７６３号、第１４／５００，７３９号、第１４／５０６，４４９号、第１４／５６８，０５１号、第１４／５９８，４６９号、第１４／６６０，７６８号、第１４／６６３，３３１号、第１４／８７３，１４５号、第１４／８７３，１５８号、第１４／９２５，３５７号、第１４／９２５，３７５号、第１４／９３４，１３４号、第１４／９６４，９６３号、第１４／９６７，１８３号、第１４／９６６，３４６号、第１５／０５７，７０７号、第１５／１３０，８５１号、第１５／１７６，９７５号、および第１６／７１９，６９９号（それぞれは、参照することによってその全体として本明細書に組み込まれる）に説明される。
【先行技術文献】
【特許文献】
【０００６】
【特許文献１】米国特許第７，８８１，９６５号明細書
【発明の概要】
【課題を解決するための手段】
【０００７】
以下の開示は、携帯電話および他の電子デバイスを再生利用するための消費者動作型キオスクの種々の実施形態を説明する。いくつかの実施形態では、キオスクは、比較的に小さい配設用地（例えば、都市の小売店、空港、交通駅、または他の空間に敏感な設定）にフィットするように定寸および成形される。キオスクは、１つ以上のディスプレイ、ユーザインターフェース、試験装置、仕分け容器、デバイス評価システム（ＤＥＳ）、および／または他のキオスクコンポーネントに適応するように構成される、筐体を含むことができる。いくつかの実施形態では、本技術に従って構成されるＤＥＳは、２つ以上の位置の間で遷移するように構成される、可動および／または傾転可能試験機器を含むことができる。例えば、ＤＥＳは、試験プラットフォームと、コネクタアセンブリと、１つ以上の上側および／または下側カメラおよびライトアセンブリとを含むことができ、その全てまたはいくつかは、回転軸を中心としてＤＥＳの１つ以上のコンポーネントを傾転させることによって、ホーム位置（例えば、ユーザがキオスクと相互作用する位置）、選別位置（例えば、キオスク／ＤＥＳが購入されるべき電話または他の電子デバイスの状態を評価するように構成される位置）、および仕分け位置（例えば、電子デバイスが、ユーザとの取引の完了後に仕分け容器または他の保持ユニットの中に遷移される位置）の間で遷移するように構成されることができる。これらの特徴は、購入および／または再生利用されるべき電子デバイスを評価するために必要なキオスクの体積の低減を可能にすることができる。いくつかの実施形態では、試験機器の上側および／または下側ドームは、白色である従来のドームと対照的に、色が灰色である。ドームの灰色の着色は、試験される電子デバイス上の眩光を低減させることができ、改良されたデバイス識別および／または損傷検出を可能にすることができる。ある用途では、ドームは、過剰な光を吸収し、眩光をさらに低減させるための黒色（または別様に暗い色の）部分をその内部表面上に含むことができる。これらのおよび／または他の特徴および改良の結果として、本技術に従って構成されるキオスクは、小売または他の設定で比較的に小さい占有面積を占有しながら、電子デバイスを評価することができる。
【図面の簡単な説明】
【０００８】
【図１】図１は、本技術の実施形態に従って構成される、電子デバイス再生利用キオスクの正面右上等角図である。
【０００９】
【図２】図２は、図１のキオスクの正面左上等角図である。
【００１０】
【図３】図３は、図１のキオスクの背面左上等角図である。
【００１１】
【図４】図４は、図１のキオスクの底部正面右等角図である。
【００１２】
【図５】図５は、キオスクの内部コンポーネントおよびシステムをより詳しく図示する目的のために、フロントドアおよび関連付けられるハードウェアが省略された、図１のキオスクの正面右上等角図である。
【００１３】
【図６】図６は、本技術の実施形態に従って構成される、電子デバイス再生利用キオスクの正面概略図である。
【００１４】
【図７Ａ】図７Ａは、本技術の実施形態に従って構成される、図１−５の電子デバイス再生利用キオスクの電子デバイス評価システム（ＤＥＳ）の正面右上等角図である。
【００１５】
【図７Ｂ】図７Ｂは、図７ＡのＤＥＳの正面図である。
【００１６】
【図７Ｃ】図７Ｃは、図７ＡのＤＥＳの右側面図である。
【００１７】
【図７Ｄ】図７Ｄは、図７ＡのＤＥＳの背面図である。
【００１８】
【図７Ｅ】図７Ｅは、図７ＡのＤＥＳの左側面図である。
【００１９】
【図７Ｆ】図７Ｆは、図７ＡのＤＥＳの上平面図である。
【００２０】
【図７Ｇ】図７Ｇは、図７ＡのＤＥＳの底平面図である。
【００２１】
【図８】図８は、図示の目的のために下側筐体の部分が除去された、図７ＡのＤＥＳの背面右上等角図である。
【００２２】
【図９】図９は、図示の目的のために上側筐体および下側筐体が除去された、図７ＡのＤＥＳの正面右上等角図である。
【００２３】
【図１０Ａ】図１０Ａは、傾転アセンブリがホーム位置にあり、アクセスドアが開放されている、図７Ｂの切断面Ａ−Ａに沿って得られた図７ＡのＤＥＳの断面側面図である。
【００２４】
【図１０Ｂ】図１０Ｂは、傾転アセンブリがホーム位置にあり、アクセスドアが開放されている、図７Ｂの切断面Ａ−Ａに沿って得られた図７Ａの傾転アセンブリの拡大断面側面図である。
【００２５】
【図１１Ａ】図１１Ａは、傾転アセンブリがホーム位置にあり、アクセスドアが閉鎖されている、図７Ｂの切断面Ａ−Ａに沿って得られた図７ＡのＤＥＳの断面側面図である。
【００２６】
【図１１Ｂ】図１１Ｂは、傾転アセンブリが選別位置にあり、アクセスドアが閉鎖されている、図７Ｂの切断面Ａ−Ａに沿って得られた図７ＡのＤＥＳの断面側面図である。
【００２７】
【図１１Ｃ】図１１Ｃは、傾転アセンブリが仕分け位置にあり、アクセスドアが閉鎖されている、図７Ｂの切断面Ａ−Ａに沿って得られた図７ＡのＤＥＳの断面側面図である。
【００２８】
【図１１Ｄ】図１１Ｄは、図示の目的のために上側筐体および下側筐体が除去された、図７ＡのＤＥＳの背面右上等角図である。
【００２９】
【図１２Ａ】図１２Ａは、図７Ｂの切断面Ａ−Ａに沿って得られた図７ＡのＤＥＳのシュートの拡大断面側面図である。
【００３０】
【図１２Ｂ】図１２Ｂは、保管用仕分け容器の概略側面図である。
【００３１】
【図１３】図１３は、ＤＥＳが修理または保守構成である、図７Ｂの切断面Ａ−Ａに沿って得られた図７ＡのＤＥＳの断面側面図である。
【００３２】
【図１４Ａ】図１４Ａは、本技術の他の実施形態に従って構成される、電子デバイス再生利用キオスクの等角図である。
【００３３】
【図１４Ｂ】図１４Ｂは、図１４Ａのキオスクの正面図である。
【００３４】
【図１５Ａ】図１５Ａは、本技術の実施形態に従って構成される、図１４Ａおよび１４Ｂの電子デバイス再生利用キオスクの電子デバイス評価システム（ＤＥＳ）の正面右上等角図である。
【００３５】
【図１５Ｂ】図１５Ｂは、図１５ＡのＤＥＳの側面立面図である。
【００３６】
【図１６Ａ】図１６Ａは、図１５ＡのＤＥＳの検査エリアの拡大正面右上等角図である。
【００３７】
【図１６Ｂ】図１６Ｂは、図示の目的のために上側ＤＥＳ筐体が除去された、図１５ＡのＤＥＳの検査エリアの拡大正面右上等角図である。
【００３８】
【図１７】図１７は、一次コネクタアセンブリの回転軸に沿った図１５ＡのＤＥＳのコネクタアセンブリの図である。
【００３９】
【図１８Ａ】図１８Ａは、図１５ＡのＤＥＳの二次コネクタアセンブリの正面等角図である。
【００４０】
【図１８Ｂ】図１８Ｂは、図１８Ａの二次コネクタアセンブリの後面等角図である。
【００４１】
【図１９Ａ】図１９Ａは、図１８Ａの二次コネクタアセンブリの後面分解図である。
【００４２】
【図１９Ｂ】図１９Ｂは、図１８Ａの二次コネクタアセンブリの正面分解図である。
【００４３】
【図２０】図２０は、図１７の切断面Ｂ−Ｂに沿って得られた図１８Ａの二次コネクタアセンブリの断面上面図である。
【００４４】
【図２１】図２１は、図１−６および１４Ａ−１４Ｂのキオスクと関連付けられる種々のコンポーネントを図示する概略図である。
【００４５】
【図２２Ａ】図２２Ａおよび２２Ｂは、本技術の実施形態による、ユーザから電子デバイスを評価および購入するためのフロールーティングを図示する。
【図２２Ｂ】図２２Ａおよび２２Ｂは、本技術の実施形態による、ユーザから電子デバイスを評価および購入するためのフロールーティングを図示する。
【００４６】
【図２３】図２３は、本技術の種々の側面を実装するための好適な分散コンピューティング環境の概略図である。
【発明を実施するための形態】
【００４７】
ある詳細が、本技術の種々の実施形態の徹底的な理解を提供するように、以下の説明および図１−２３に記載される。他の事例では、多くの場合、モバイル電子デバイス、モバイルデバイス再生利用キオスク等と関連付けられる、周知の構造、材料、動作、および／またはシステムは、本技術の種々の実施形態の説明を不必要に曖昧にすることを回避するように、以下の開示には詳細に示されていない、または説明されていない。しかしながら、当業者は、本技術が、本明細書に記載される詳細のうちの１つ以上のものを伴わずに、または他の構造、方法、コンポーネント等を用いて、実践され得ることを認識するであろう。
【００４８】
下記で使用される用語は、その最も広義の合理的様式で解釈されるものであるが、本技術の実施形態のある実施例の詳細な説明と併せて使用されている。実際に、ある用語が、下記で強調さえもされ得るが、しかしながら、任意の制約された様式で解釈されることを意図している任意の用語が、詳細な説明の節では、そのようなものとして明白かつ具体的に定義されるであろう。
【００４９】
付随する図は、本技術の実施形態を描写し、その範囲の限定であることを意図していない。種々の描写される要素のサイズは、必ずしも一定の縮尺で描かれておらず、これらの種々の要素は、読みやすさを改良するように恣意的に拡大され得る。コンポーネントの詳細は、そのような詳細が本発明を作製および使用する方法の完全な理解のために不必要であるときに、コンポーネントの位置およびそのようなコンポーネントの間のある精密な接続等の詳細を除外するように、図では抽象化され得る。図に示される詳細、寸法、角度、および他の特徴の多くは、本開示の特定の実施形態の例証にすぎない。故に、他の実施形態も、本発明の精神または範囲から逸脱することなく、他の詳細、寸法、角度、および特徴を有することができる。加えて、当業者は、本発明のさらなる実施形態が下記に説明される詳細のうちのいずれかを伴わずに実践され得ることを理解するであろう。図では、同じ参照番号が、同じ、または少なくとも概して類似する要素を識別する。
【００５０】
図１および２は、ユーザから電子デバイス（例えば、携帯電話、タブレット等）を購入するための本技術の実施形態に従って構成される、キオスク１０の正面等角図である。図３は、キオスク１０の後面等角図であり、図４は、キオスク１０の底面等角図である。図１−４を集合的に参照すると、キオスク１０は、筐体１２と、キオスク１０の使用を促進するように構成される、１つ以上のユーザインターフェースデバイス１４ａ−ｄとを含むことができる。ユーザインターフェースデバイス１４ａ−ｄは、キーパッド１４ａ、ＩＤカードリーダ１４ｂ、支払ディスペンサ１４ｃ、領収書ディスペンサ１４ｄ、および／または電子デバイス購入プロセスを促進するための他のユーザインターフェースデバイス（例えば、親指の指紋スキャナ）を含むことができる。図示されるように、キオスク１０はまた、１つ以上のディスプレイ１６ａ−ｂを含むこともできる。１つ以上のディスプレイ１６ａ−ｂは、表示されたプロンプト等に応答して、ユーザ入力を受信するためのタッチスクリーン能力を含むことができる。キオスク１０はまた、ユーザが評価のためにその電子デバイス（図示せず）を提出することを可能にし得る、アクセスドア１８を含むこともできる。アクセスドア１８は、キオスク１０のフロントドア２０内の開口を被覆することができる。ユーザ入力１４ａ−ｄのうちの１つ以上のものが、キオスク１０のフロントドア２０上または内に位置付けられることができる。いくつかの実施形態では、ユーザインターフェース１４ａ−ｄのうちの１つ以上のものが、キオスク筐体１２の側壁２２上または内に位置付けられることができる。
【００５１】
図１を参照すると、筐体１２は、高さＨ、幅Ｗ、および奥行Ｄを有することができる。いくつかの実施形態では、高さＨは、２４〜９０インチ、３０〜９０インチ、３６〜７２インチ、および／または４８〜８４インチである。いくつかの実施形態では、幅Ｗは、１０〜５４インチ、１２〜４８インチ、２４〜３６インチ、および／または２０〜３０インチである。いくつかの実施形態では、奥行Ｄは、１５〜３０インチおよび／または１８〜２４インチである。
【００５２】
図４に図示されるように、キオスク１０は、１つ以上の脚部２４および／または１つ以上のキャスタ２６を含むことができる。脚部２４は、水平ではない配設場所におけるキオスク１０の水平化を可能にするように、高さを調節するように構成されることができる。いくつかの実施形態では、脚部２４は、キオスク１０がキャスタ上で容易に移動されることを可能にするように、キャスタ２６の上方で上向きに後退されることができる。いくつかの実施形態では、キャスタ２６は、キオスク１０が配設される床または他の表面に接触するように、調節可能であり、下向きに移動することが可能である。
【００５３】
図５は、キオスク１０の内部コンポーネントを図示するように、フロントドア２０（図１）が除去された、キオスク１０の等角図である。フロントドア２０は、ディスプレイ１６ａ−ｂの一方または両方が定常のままである間に、開放位置と閉鎖位置との間で（例えば、１つ以上のヒンジを中心として）枢動するように、構成されることができる。図１−２に図示される位置でディスプレイ１６ａ−ｂのうちの１つ以上のものを維持することは、技術者または他のオペレータが、ディスプレイ１６のうちの１つ以上のものの上で命令を観察しながら、キオスク１０の内部コンポーネントに保守および／または修理を実施することを可能にすることができる。いくつかの実施形態では、ディスプレイ１６のうちの一方（例えば、上側ディスプレイ１６ｂ）が、フロントドア２０に接続され、それとともに移動する一方で、他方のディスプレイ（例えば、下側ディスプレイ１６ａ）は、定位置に留まる。
【００５４】
キオスク１０は、ディスプレイ１６ａ−ｂに適応するように構成される、１つ以上のコンパートメント３０ａ−ｂを含むことができる。これらのディスプレイコンパートメント３０ａ−ｂは、キオスク１０の上端またはその近傍に位置付けられることができる。１つ以上のディスペンサ３２ａ−ｂ（例えば、領収書プリンタ／ディスペンサ、ラベルプリンタ／ディスペンサ、現金／バウチャまたは他の報酬ディスペンサ等）が、必要に応じて、関連付けられる領収書、ラベル、現金等をユーザに分配し、本明細書に説明される方法を実施するように、適切な場所およびキオスク１０内のコンパートメントに位置付けられることができる。ＣＰＵおよび他のコンピュータハードウェア３５が、キオスク１０の下側部分内に位置付けられることができ、ケーブル（例えば、延在可能ケーブル）を介して、および／またはキオスク１０内および／または外の他のコンポーネントへの無線コネクタを介して、動作可能に接続されることができる。いくつかの実施形態では、キオスク１０は、壁コンセントまたは他の設備電源に差し込まれるように構成される、１つ以上の電力ケーブルを含む。いくつかの実施形態では、１つ以上のエネルギー貯蔵ユニット（例えば、バッテリ）が、上記に説明されるコンポーネントに給電するように、キオスク１０内に位置付けられることができる。ＤＥＳ３４は、購入および／または再生利用された電子デバイスを受領するための仕分け容器または他の保管レセプタクルに適応するように構成される、仕分け容器スロット３６の上方のキオスク１０の下側部分またはその近傍に位置付けられることができる。
【００５５】
いくつかの実施形態では、ＤＥＳ３４は、キオスク１０の中心またはその近傍に位置付けられることができる。他の実施形態では、ＤＥＳ３４は、例えば、キオスク１０の他の部分内に位置付けられることができる。図６は、ＤＥＳ３４’が、キオスク１０’の筐体１２’の側壁のうちの１つまたはその近傍に位置付けられ得る、キオスク１０’の正面概略図を図示する。残りのハードウェア３５’およびユーザインターフェース３２’は、ＤＥＳ３４’の上方、下方、および／または側面の空間内に位置付けられることができる。いくつかの構成では、キオスク１０’の１つの側面に向かってＤＥＳ３４’を位置付けることは、ユーザインターフェース３２’および他のハードウェアコンポーネント３５’がコンパクトな局所的配列に位置付けられ得るため、キオスク１０’の全体的寸法をさらに縮小することができる。いくつかの実施形態では、キオスク１０’は、単一のディスプレイ１６’を含む。単一のディスプレイは、タッチスクリーン能力を含むことができる、および／または広告／命令を表示することができる。いくつかの実施形態では、キオスク１０’は、それぞれ、上記に説明されるディスプレイ１６ａ、１６ｂに機能および／または構造が類似する、２つのディスプレイ１６ａ’、１６ｂ’を含む。
【００５６】
図７Ａは、ＤＥＳ３４のコンポーネントをより詳しく図示するようにキオスク１０から除去された、ＤＥＳ３４の拡大正面等角図である。図示されるように、ＤＥＳ３４は、上側筐体４０と、下側筐体４２とを含むことができる。いくつかの実施形態では、上側筐体および下側筐体４０、４２は、相互と一体的に形成される。他の実施形態では、上側筐体および下側筐体４０、４２は、別個の部品である。いくつかの実施形態では、キオスクは、アクセスドアアセンブリ４４を含む。アクセスドアアセンブリ４４は、上側ＤＥＳ筐体４０に接続されることができる。いくつかの実施形態では、アクセスドアアセンブリ４４は、上側ＤＥＳ筐体４０に搭載される下側フレーム４６を含む。アクセスドアフレーム４６は、キオスク１０の検査エリア５０へのアクセスを提供するように構成される、開口部４８を含むことができる。下記により詳細に説明されるように、アクセスドアアセンブリ４４は、移動方向５３に沿って（図７Ａに示されるように）閉鎖位置と開放位置との間で移動する（例えば、摺動する）ように構成される、アクセスドア１８を含むことができる。閉鎖位置では、アクセスドア１８は、ＤＥＳ３４の電子デバイス検査エリア５０へのアクセスを遮断する。開放位置では、アクセスドア１８は、検査エリア５０の中への電子デバイス５４の挿入および／またはそこからの除去を可能にするように、図７Ａに示されるように検査エリア５０から離れるように移動される。
【００５７】
図７Ｂは、ＤＥＳ３４の正面図であり、図７Ｃは、その右側面図である。図７Ｂに図示されるように、検査エリア５０は、携帯電話または他の電子デバイス５４を受領するために十分な（例えば、キオスク１０が配設される床と平行に測定されるような）幅Ｗ２を有することができる。例えば、検査エリアの幅Ｗ２は、少なくとも４インチ、少なくとも６インチ、少なくとも８インチ、および／または少なくとも１２インチであり得る。いくつかの実施形態では、検査エリア５０の幅Ｗ２は、４〜１０インチ、６〜１２インチ、８〜２０インチ、および／または１０〜１４インチである。好ましくは、検査エリア５０の幅Ｗ２は、約１８インチである。図７Ｃに示されるように、上側筐体４０は、ドーム形状、部分ドーム形状、または別様に球状の形状を有することができる。上側筐体４０の形状は、下記により詳細に説明されるように、電子デバイス５４の視覚検査のための上側ドームとしての上側筐体４０の使用を促進することができる。上側ＤＥＳ筐体４０は、その中またはその上に搭載される、１つ以上の内向きに指向されたライトアセンブリを含むことができる。例えば、上側ライトアセンブリ５６が、上側筐体４０の側壁を通して搭載されることができ、上側後部ライトアセンブリ５８が、上側筐体４０の後壁を通して搭載され、上側ＤＥＳ筐体４０の中に指向されることができる。図示される実施形態では、ライトアセンブリ５６、５８はそれぞれ、同数のライト（例えば、３つのライト）を含む。いくつかの実施形態では、側面ライトアセンブリ５６は、後部ライトアセンブリ５８と異なる数のライトを含むことができる。例えば、幅の広さよりも長い、大部分の電子デバイスの形状に起因して、側面ライトアセンブリ５６は、電子デバイスの全長をより良好に照明するための後部ライトアセンブリ５８よりも多くのライトを含んでもよい。いくつかの実施形態では、上側カメラ６０（図７Ｃ）が、上側ＤＥＳ筐体４０の上側部分上または内に（例えば、上側ＤＥＳ筐体４０の上端またはその近傍に）搭載される。
【００５８】
図７Ｄは、ＤＥＳ３４の後面立面図である。図示されるように、下側ＤＥＳ筐体４２は、下記に詳細に説明されるように、デバイスの検査およびユーザによる購入提案の容認後に、それを通して電子デバイスが降下するように構成され得る、シュート６２または他の構造を含むことができる。いくつかの実施形態では、下記により詳細に説明されるように、検査エリア５０および他のコンポーネントの傾転を促進するように構成される、駆動アセンブリ６４が、下側ＤＥＳ筐体４２の側面上に搭載される。アクセスドアアセンブリ４４は、アクセスドア１８上の（例えば、アクセスドア１８の裏面上の）１つ以上のロックインターフェース１３９と選択的に係合するように構成される、施錠機構１３７を含むことができる。例えば、ロックインターフェース１３９は、施錠機構１３７の可動突出部または他の部分を受容するように構成される、アクセスドアの裏面上のくぼみであり得る。ロックインターフェース１３９を施錠機構１３７と係合させることは、ロックインターフェース１３９からの施錠機構１３７の可動突出部の選択的係脱を伴わずに、アクセスドアが開放構成と閉鎖構成との間で移動しないように阻止または防止することができる。
【００５９】
図７Ｅ、７Ｆ、および７Ｇは、それぞれ、ＤＥＳ３４の左側面図、上面図、および底面図である。図７Ｆに図示されるように、アクセスドア１８は、軌道６８上のレール６６に係合する（例えば、摺動可能に係合する）ように構成される、１つ以上のガイド６４を含むことができる。いくつかの実施形態では、軌道６８および／またはレール６６（例えば、丸いレール）が、アクセスドアフレーム４６に搭載される、または別様に取り付けられる。ガイド６４とレール６６との間の係合は、他の方向へのアクセスドア１８の移動を限定しながら、２つの平行および反対方向に（例えば、レール６８の長さと平行に）移動経路５３に沿ってアクセスドア１８の移動を促進することができる。
【００６０】
図８は、図示の目的のために上側ＤＥＳ筐体４０および下側筐体４２の右および後側壁が除去された、ＤＥＳ３４の後面等角図である。ＤＥＳ３４は、開放位置（図７Ａ）と閉鎖位置（図１１Ａ）との間でアクセスドア１８を移動させるように構成される、アクセスドアモータ７４（例えば、ステップモータ）を含むことができる。例えば、アクセスドアモータ７４は、アクセスドア１８の裏側の歯付き軌道７８と界面接触するように定寸および成形される歯を有する、スプロケット７６を回転させるように構成されることができる。スプロケットの回転は、開放位置と閉鎖位置との間でアクセスドア１８を移動させる７６。いくつかの実施形態では、アクセスドアモータ７４、ガイド６６、および／または軌道７０は、電力がキオスクから切断され、アクセスドア１８が閉鎖位置に向かって移動する場合に、アクセスドア１８とキオスクの他のコンポーネントとの間の損傷衝撃を阻止または防止するための抑制機構を含む。
【００６１】
図８に図示されるように、ＤＥＳ３４は、可動評価サブアセンブリ（「ＭＥＳ」）８０を含むことができる。ＭＥＳ８０は、２つ以上の位置の間で水平回転軸を中心としてＤＥＳ３４の１つ以上のコンポーネントを傾転／回転させるように構成される、駆動アセンブリ６４を含むことができる。ＭＥＳ８０は、駆動アセンブリ６４に動作可能に結合される、ベースプレート８４を含むことができる。ベースプレート８４は、下側ＤＥＳ筐体４２に、上側ＤＥＳ筐体４０に、またはキオスク１０のある他の部分にヒンジ連結して（例えば、回転可能に）接続されることができる。付加的コンポーネントが、下記により詳細に解説されるように、ベースプレート８４に搭載されることができる。例えば、コネクタキャリア８５（例えば、一次コネクタキャリアおよび／または回転可能コネクタキャリア）が、ベースプレート８４に回転可能に搭載され、ベースプレート８４とともに移動するように構成されることができる。下記にさらに詳細に説明されるように、コネクタキャリア８５は、回転可能ハブ（例えば、カルーセル）上に円周方向に分散される、複数の個々の電気コネクタを含むことができる。いくつかの実施形態では、下側ドームアセンブリ８７が、ベースプレート８４に搭載される、および／または別様にベースプレート８４とともに移動するように構成される。
【００６２】
図９は、図示の目的のために上側ＤＥＳ筐体４０および下側筐体４２が除去された、ＭＥＳ８０の等角図である。ＭＥＳ８０はさらに、ベースプレート８４に搭載される、ミラーアセンブリ８６を含むことができる。例えば、ミラーアセンブリ８６は、ベースプレート８４に対するミラーアセンブリ８６の回転および／または偏向を可能にするようにベースプレート８４に枢動可能に結合される、１つ以上のヒンジ８８を含んでもよい。
【００６３】
図８および９に図示されるように、駆動アセンブリ６４は、第１の滑車９２に動作可能に結合される傾転モータ９０（例えば、ステッピングモータ）を含むことができる。駆動アセンブリ６４は、第１の滑車９２に、および第２の滑車９６に接続される、駆動ベルト９４（例えば、歯付きベルト）を含むことができる。第１の滑車９２および第２の滑車９６は、ＤＥＳ３４の下側筐体４２に、またはある他の固定構造に搭載されることができる。傾転モータ９０は、第１の滑車９２を回転させ、駆動ベルト９４を介して第２の滑車９６を回転させるように構成されることができる。いくつかの実施形態では、傾転アセンブリは、ベースプレート８４の回転を促進するための傾転モータ９０とベースプレート８４との間の噛合歯車配列を含むことができる。ＭＥＳ８０は、第２の傾転滑車９６に回転係止され、傾転軸９９を中心として回転するように構成される、ブラケット９７を含むことができる。ブラケット９７は、第２の滑車９６の回転が、ベースプレート８４を回転させるように、ベースプレート８４に搭載されることができる。
【００６４】
図９を参照すると、ＭＥＳ８０は、検査プレート１００を含むことができる。検査プレート１００は、例えば、電話または他の電子デバイス５４の検査の間に使用される透明プレートであり得る。検査プレート１００は、ガラス、ポリマー、またはある他の好適な材料（例えば、透明または半透明材料）から構築されることができる。例えば、検査プレート１００は、疎油性材料から構築される、または疎油性材料でコーティングされることができる。疎油性材料または他の汚れ耐性材料の使用は、キオスク１０の性能を改良し、検査プレート１００を清掃するための頻繁な点検の必要性を低減させることができる。いくつかの実施形態では、検査プレート１００およびベースプレート８４は、単一の透明材料としてともに形成される。いくつかの実施形態では、検査プレート１００は、ベースプレート８４に搭載される。例えば、ベースプレート８４は、検査プレート１００を受容するように定寸および形成される開口を有することができる。好ましくは、上側カメラ６０は、検査プレート１００の全体または大部分を含む、視野を有する。
【００６５】
図９にさらに図示されるように、ミラーアセンブリ８６は、概して、少なくとも２つの側面上の検査エリア５０を囲繞する、ミラープレート１０２を含むことができる。いくつかの実施形態では、ミラーアセンブリ８６は、少なくとも２つの側面上の検査エリア５０の周囲に延在するミラーフレーム１０４に搭載される、１つ以上のミラーを含む。ミラーフレーム１０４は、ミラープレート１０２の一部として形成される、または別様にそれに接続されることができる。ミラープレート１０２および／またはミラーフレーム１０４は、ベースプレート８４またはキオスク１０のある他の構造にヒンジ連結して（例えば、回転可能に）接続されることができる。図示される実施形態では、ミラーアセンブリ８６は、検査エリア５０の第１の側面上に位置付けられる第１の側面ミラー１０６ａと、第１の側面ミラー１０６ａの反対側の検査エリア５０の第２の側面上の第２の側面ミラー１０６ｂとを含む。いくつかの実施形態では、ミラーアセンブリ８６はさらに、少なくとも部分的に第１および第２の側面ミラー１０６ａ、１０６ｂの間に延在する、上側ミラー１０６ｃを含む。ミラー１０６ａ、１０６ｂ、１０６ｃのうちの１つ以上のものは、ミラープレート１０２に対してある角度で配列されることができる。ミラープレート１０２に対するミラー１０６ａ−ｃの角度は、例えば、１０°〜８５°、２０°〜８０°、２５°〜５５°、３０°〜６０°、４５°〜６５°、および／または４０°〜５０°であり得る。ミラープレート１０２に対してミラーに角度を付けることは、検査エリア５０内のカメラが、検査プレート１００と垂直または略垂直な方向から検査の間に電話または他の電子デバイス５４の側面の反射像を取得することを可能にすることができる。
【００６６】
いくつかの実施形態では、ミラーフレーム１０４の下側は、１つ以上の隆起１１２、リブ、または突出部を有する、棚部材１１０を含むことができる。これらの隆起１１２は、電子デバイス５４の底端と棚部材１１０との間に間隙Ｇを提供するように構成されることができる。棚部材１１０から離れるように電話または他の電子デバイス５４の底端を離間することは、電子デバイス５４の底縁が、キオスク１０のカメラまたは他の撮像機器によって観察され得るように、光が間隙Ｇを通して見えることを可能にすることができる。電子デバイス５４の底縁を視認することは、電子デバイス５４の全体的サイズのより容易および／またはより正確な評価、および電子デバイス５４の底縁の損傷のより容易な検出を促進することができる。いくつかの実施形態では、隆起１１２または棚部材１１０のある他の部分は、検査プレート１００がその種々の位置の間で移動するにつれて、電子デバイス５４が検査プレート１００にわたって、かつそこから離れるように転倒する可能性を低減させるように構成される、１つ以上の穴縁または突出部を含む（下記の図１１Ａ−１１Ｃの議論参照）。棚部材１１０はまた、それを通してコネクタキャリア８５からのコネクタ１１４が電話に接続するように挿入され得る、コネクタスロットまたはコネクタ開口を含むこともできる。コネクタキャリア８５の構造および動作を説明する、さらなる詳細が、「ＣＯＮＮＥＣＴＯＲ  ＣＡＲＲＩＥＲ  ＦＯＲ  ＥＬＥＣＴＲＯＮＩＣ  ＤＥＶＩＣＥ  ＫＩＯＳＫ」と題され、２０１９年２月１２日に出願された、米国仮特許出願第６２／８０４，７１４号、また、「ＣＯＮＮＥＣＴＯＲ  ＣＡＲＲＩＥＲ  ＦＯＲ  ＥＬＥＣＴＲＯＮＩＣ  ＤＥＶＩＣＥ  ＫＩＯＳＫ」と題され、２０２０年２月１１日に出願された、代理人整理参照番号１１１２２０−８０５３．ＵＳ０１（その開示全体は、参照することによって本明細書に組み込まれる）に説明される。
【００６７】
図１０Ａは、ＭＥＳ８０が水平に対してある角度で配列される、初期または「ホーム」位置にＤＥＳ３４を示す、ＤＥＳ３４の断面側面図である。例えば、ベースプレート８４と水平との間の角度Ａ１は、０°を上回り９０°未満であり得る。いくつかの実施形態では、ベースプレート８４と水平との間の角度は、ＤＥＳ３４がホーム位置にあるときに、４０°〜８０°、５５°〜７５°、１０°〜８５°、４５°〜７０°、および／または３０°〜６５°である。いくつかの実施形態では、ベースプレート８４と水平との間の角度は、約６０°である。ホーム位置にあるときに水平に対して９０°未満の角度にベースプレート８４を配向することは、電話５４が検査エリア５０から外に不注意に落下する危険性を低減させることができる。ホーム位置にあるときに水平に対して０°を上回る角度にベースプレート８４を配向することは、キオスク１０のアクセスドアアセンブリ４４および／または他のコンポーネントに適応するためのキオスク１０の要求される奥行を縮小し、それによって、キオスク１０の全体的サイズおよび／または占有面積を縮小することができる。いくつかの実施形態では、図８および１１Ｄに図示されるように、ＭＥＳ８０は、キオスク１０の一部（例えば、ＤＥＳ３４の下側筐体４２の一部）に選択的に係合し、傾転位置の間でＭＥＳ８０の不慮の遷移を阻止または防止するように構成される、１つ以上の施錠機構１４１を含むことができる。
【００６８】
図１０Ａに図示されるように、下側ドームアセンブリ８７は、曲線状ドーム／球状の形状を有する、下側ドーム１２０を含むことができる。下側ドーム１２０は、ＭＥＳ８０が種々の位置の間でベースプレート８４を駆動するにつれて、下側ドームアセンブリ８７がベースプレート８４とともに移動するように、ベースプレート８４に搭載されることができる。いくつかの実施形態では、下側ドームアセンブリ８７は、電話または他の電子デバイスを検査するために使用される、１つ以上のカメラおよび／または照明アセンブリを含む。例えば、下側ドームアセンブリ８７は、下側ドーム１２０に搭載される下側カメラ１２２を含むことができる。下側カメラ１２２は、検査プレート１００の全体または大部分を含む、視野を有することができる。いくつかの実施形態では、下側ドームアセンブリ８７は、第１および第２の照明アセンブリ１２６、１２４を含む。図９に戻ると、ミラーフレーム１０４は、（例えば、カメラのうちの１つの配設、修理、置換、および／または改造後に）カメラ６０、１２２の較正を促進するように構成される、１つ以上の較正構造を含むことができる。例えば、ミラーフレーム１０４は、ミラーフレーム１０４上の既知の位置に位置し、カメラ６０、１２２の一方または両方によって観察可能である、１つ以上の視覚インジケータ９１（例えば、ドット、突出部、くぼみ等）を含むことができる。視覚インジケータ９１は、カメラ６０、１２２によって捕捉される画像の評価を較正する、および／または画像を拡大縮小するために使用されることができる。照明アセンブリのうちの１つ以上のもの（例えば、下側後部照明アセンブリ１２４）が、下側ドーム１２０の裏側に搭載されることができる。いくつかの実施形態では、別の照明アセンブリ（例えば、下側照明アセンブリ１２６）が、下側ドーム１２０の側面上に位置付けられる。
【００６９】
図１０Ｂは、ＭＥＳ８０およびキオスク１０の他のコンポーネントの拡大側面図を図示する。上側ＤＥＳ筐体４０は、検査エリア５０の境界に１つ以上の周縁または縁１２８を含むことができる。ＭＥＳ８０が、示されるようなホーム位置にあるとき、上側ＤＥＳ筐体４０の周縁１２８は、上側ＤＥＳ筐体および下側ＤＥＳ筐体４０、４２の内部へのアクセスが、アクセスの外側に閉鎖されるように、ミラーフレーム１０４に重複することができる。コネクタキャリア８５へのアクセスもまた、上側ＤＥＳ筐体４０とミラーフレーム１０４との間のインターフェースによって遮断される。
【００７０】
図１１Ａ−１１Ｃは、それぞれ、ホーム位置、検査位置、および仕分け位置でＤＥＳ３４を図示する、左側断面図である。より具体的には、図１１Ａは、それらの個別のデフォルト位置（例えば、ユーザまたは保守スタッフとの相互作用がない場合にそれらが位置付けられる位置）でのアクセスドア１８およびＭＥＳ８０を図示する。デフォルト位置では、アクセスドア１８は、閉鎖され、それによって、ＤＥＳ３４の検査エリア５０へのアクセスを遮断する。ユーザは、（例えば、図１０Ｂに図示されるように）アクセスドア１８を開放し、検査エリア５０の中への電話または他の電子デバイス５４の設置を可能にするように、（例えば、ディスプレイ１６ａ−ｂのうちの１つのタッチスクリーン部分を介して、および／またはユーザインターフェースデバイス１４ａ−ｄのうちの１つを介して）キオスク１０に指示してもよい。例えば、ユーザは、取引を開始する要求と関連付けられる、ディスプレイ１６ａ−ｂ上またはキーパッド１４ａ上の１つ以上のボタンまたはアイコンをタップする、また押下してもよい。ユーザは、ユーザインターフェースデバイス１４ａ−ｄ（図１）のうちの１つ以上のものを介して、および／またはディスプレイ１６ａ−ｂのうちの１つのタッチスクリーン部分を介して、ユーザの電子デバイス５４のメーカおよび／またはモデルを規定してもよい。コネクタキャリア８５は、検査エリア５０に向かって回転および／または移動し、関連性があるコネクタ１１４（図９）を検査エリア５０に提示することができる。ユーザが、電子デバイス５４を検査エリア５０の中に投入し、それにコネクタ１１４（図９）を接続した後、ユーザは、下取りおよび／または購入値に関して電子デバイス５４を評価するように、（例えば、ディスプレイ１６ａ−ｂのうちの１つのタッチスクリーン部分を介して、および／またはユーザインターフェースデバイス１４ａ−ｄのうちの１つ以上のものを介して）キオスク１０に指示してもよい。いくつかの実施形態では、アクセスドア１８を閉鎖する前に、および／または検査エリア５０の中への電子デバイス５４の設置に先立って、キオスク１０は、下側カメラ１２２を使用し、（例えば、古物商法への準拠のために、および／または他のセキュリティ目的のために）検査プレート１００を通してユーザの写真を撮影してもよい。図１０Ｂおよび１１Ａに図示されるように、キオスク１０は、アクセスドア１８の下向きの移動を限定するように、および／またはアクセスドア１８の閉鎖位置を画定するように構成される、１つ以上のドア停止部１３６を含むことができる。
【００７１】
図１１Ｂに図示されるように、ＭＥＳ８０は、ホーム位置から評価（例えば、選別、検査等）位置まで回転することができる。いくつかの実施形態では、ベースプレート８４および／または検査プレート１００は、評価位置にあるときに略水平に位置付けられる。キオスク１０は、ＭＥＳ８０が評価位置にあるときに電子デバイス５４を評価するように構成されることができる。電子デバイス５４の評価は、デバイスの金銭的価値に影響を及ぼし得る、デバイスについての種々の情報を決定するための視覚的評価（例えば、カメラ６０、１２２を介した）および／または電気的評価（例えば、コネクタ１１４を介した、および／またはソフトウェアアプリケーションまたは無線接続を介した）を含むことができる。そのような情報は、例えば、デバイスのメーカ、モデル、サブモデル、デバイス特徴（例えば、メモリサイズ、携帯電話サービス会社等）、デバイス動作可能性、デバイス充電および／または再充電可能性、物理的状態（例えば、亀裂の存在または非存在、ディスプレイ機能および状態等）を含むことができる。
【００７２】
電子デバイス５４の亀裂および／または画面カバーの電気的評価、視覚的評価、選別、検出、および／または他の評価および分析は、米国特許第１０，４９６，９６３号、第１０，４７５，００２号、第１０，４４５，７０８号、第１０，４３８，１７４号、第１０，４１７，６１５号、第１０，４０１，４１１号、第１０，２６９，１１０号、第１０，１５７，４２７号、第１０，１２７，６４７号、第１０，０５５，７９８号、第１０，０３２，１４０号、第９，９１１，１０２号、第９，９０４，９１１号、第９，８８５，６７２号、第９，８８１，２８４号、第９，８１８，１６０号、第８，４６３，６４６号、第８，４２３，４０４号、第８，２３９，２６２号、第８，２００，５３３号、第８，１９５，５１１号、および第７，８８１，９６５号、米国特許出願第１２／５７３，０８９号、第１２／７２７，６２４号、第１３／１１３，４９７号、第１２／７８５，４６５号、第１３／０１７，５６０号、第１３／４３８，９２４号、第１３／７５３，５３９号、第１３／６５８，８２５号、第１３／７３３，９８４号、第１３／７０５，２５２号、第１３／４８７，２９９号、第１３／４９２，８３５号、第１３／５６２，２９２号、第１３／６５８，８２８号、第１３／６９３，０３２号、第１３／７９２，０３０号、第１３／７９４，８１４号、第１３／７９４，８１６号、第１３／８６２，３９５号、第１３／９１３，４０８号、第１４／４９８，７６３号、第１４／５００，７３９号、第１４／８７３，１５８号、第１４／５０６，４４９号、第１４／９２５，３５７号、第１４／９２５，３７５号、第１４／９３４，１３４号、第１４／９６４，９６３号、第１４／５６８，０５１号、第１４／９６６，３４６号、第１４／５９８，４６９号、第１４／６６０，７６８号、第１４／６６３，３３１号、第１５／０５７，７０７号、第１５／０９１，４８７号、第１５／２１４，７９１号、第１５／６３０，４６０号、第１５／６４１，１４５号、第１５／６７２，１５７号、第１５／８５５，３２０号、第１５／９０１，５２６号、第１５／９７７，７２９号、第１６／１９５，７８５号、第１６／３５７，０４１号、第１６／５３４，７４１号、第１６／５５６，０１８号、第１６／５５６，１０４号、第１６／５７５，００３号、第１６／５７５，０９０号、および第１６／６０１，４９２号、および第１６／７１９，６９９号、「ＭＥＴＨＯＤＳ  ＡＮＤ  ＳＹＳＴＥＭＳ  ＦＯＲ  ＶＩＳＵＡＬＬＹ  ＥＶＡＬＵＡＴＩＮＧ  ＥＬＥＣＴＲＯＮＩＣ  ＤＥＶＩＣＥＳ」と題され、２０１５年６月１日に出願人によって出願された、米国仮特許出願第６２／１６９，０７２号、「ＭＥＴＨＯＤＳ  ＡＮＤ  ＳＹＳＴＥＭＳ  ＦＯＲ  ＩＮＳＰＥＣＴＩＮＧ  ＭＯＢＩＬＥ  ＤＥＶＩＣＥＳ  ＡＮＤ  ＯＴＨＥＲ  ＣＯＮＳＵＭＥＲ  ＥＬＥＣＴＲＯＮＩＣ  ＤＥＶＩＣＥＳ  ＷＩＴＨ  ＲＯＢＯＴＩＣ  ＡＣＴＵＡＴＩＯＮ」と題され、２０１５年８月７日に出願人によって出願された、米国仮特許出願第６２／２０２，３３０号、「ＭＥＴＨＯＤＳ  ＡＮＤ  ＳＹＳＴＥＭＳ  ＦＯＲ  ＤＥＴＥＣＴＩＮＧ  ＤＡＭＡＧＥ  ＩＮ  ＥＤＧＥ  ＲＥＧＩＯＮＳ  ＯＦ  ＭＯＢＩＬＥ  ＥＬＥＣＴＲＯＮＩＣ  ＤＥＶＩＣＥＳ」と題され、２０１６年５月６日に出願人によって出願された、米国仮特許出願第６２／３３２，７３６号、「ＣＯＮＮＥＣＴＯＲ  ＣＡＲＲＩＥＲ  ＦＯＲ  ＥＬＥＣＴＲＯＮＩＣ  ＤＥＶＩＣＥ  ＫＩＯＳＫ」と題され、２０１９年２月１２日に出願人によって出願された、米国仮特許出願第６２／８０４，７１４号、「ＫＩＯＳＫ  ＦＯＲ  ＥＶＡＬＵＡＴＩＮＧ  ＡＮＤ  ＰＵＲＣＨＡＳＩＮＧ  ＵＳＥＤ  ＥＬＥＣＴＲＯＮＩＣ  ＤＥＶＩＣＥＳ」と題され、２０１９年２月１８日に出願人によって出願された、米国仮特許出願第６２／８０７，１５３号、「ＮＥＵＲＡＬ  ＮＥＴＷＯＲＫ  ＢＡＳＥＤ  ＰＨＹＳＩＣＡＬ  ＣＯＮＤＩＴＩＯＮ  ＥＶＡＬＵＡＴＩＯＮ  ＯＦ  ＥＬＥＣＴＲＯＮＩＣ  ＤＥＶＩＣＥＳ，  ＡＮＤ  ＡＳＳＯＣＩＡＴＥＤ  ＳＹＳＴＥＭＳ  ＡＮＤ  ＭＥＴＨＯＤＳ」と題され、２０１９年２月１８日に出願人によって出願された、米国仮特許出願第６２／８０７，１６５号、および「ＳＹＳＴＥＭＳ  ＡＮＤ  ＭＥＴＨＯＤＳ  ＦＯＲ  ＶＥＮＤＩＮＧ  ＡＮＤ／ＯＲ  ＰＵＲＣＨＡＳＩＮＧ  ＭＯＢＩＬＥ  ＰＨＯＮＥＳ  ＡＮＤ  ＯＴＨＥＲ  ＥＬＥＣＴＲＯＮＩＣ  ＤＥＶＩＣＥＳ」と題され、２０１９年１２月１８日に出願人によって出願された、米国仮特許出願第６２／９５０，０７５号に説明されるように実施されることができる。前述の文に列挙される全ての特許および特許出願、および本明細書で識別される任意の他の特許または特許出願は、参照することによってそれらに全体として本明細書に組み込まれる。
【００７３】
いくつかの実施形態では、電子デバイス５４の評価（例えば、電気および／または視覚検査）は、デバイス識別、メーカ、モデル、および／または構成を含み得る、電子デバイス５４についての特性情報を取得することを含む。他の実施形態では、特性情報はさらに、ハードウェア／ソフトウェア構成、充電能力、メモリ容量等を含む、デバイス機能性を含むことができる。モバイルデバイスを識別および／または評価するために必要な情報は、例えば、一意の識別子（例えば、携帯電話のＩＭＥＩ番号またはＭＥＩＤまたは同等の番号、ネットワーク接続可能なデバイスのハードウェアメディアアクセス制御アドレス（ＭＡＣアドレス）、または電子デバイスの型番およびシリアル番号）、デバイス製造業者を説明する情報（例えば、製造業者名またはＩＤコード）、モデル、特性、および能力（例えば、ＣＰＵタイプおよび速度、記憶容量（ＳＲＡＭ、ＤＲＡＭ、ディスク等）、無線搬送波、無線帯域（周波数範囲およびＣＤＭＡ、ＧＳＭ（登録商標）、ＬＴＥ等のコード化）、および／または色、状態等を含むことができる。いくつかの実施形態では、電気分析は、電子デバイスの充電回路の状態および／または機能性を評価することを含むことができる。特に、試験電子機器は、充電回路が電線上で引き込む電流の量を測定することができ、試験電子機器は、対応する電流測定信号を使用し、充電回路が機能的であるか、損傷されているかどうかを決定することができる。いくつかの実施形態では、キオスク部分１０は、本明細書で識別され、参照することによってそれらの全体として組み込まれる、共同所有されている特許および特許出願に詳細に説明される、方法および／またはシステムのうちの１つ以上のものを使用して、電気分析を実施することができる。
【００７４】
いくつかの実施形態では、上側ドーム４０および下側ドーム１２０の一方または両方の内面（または少なくともその大部分）は、色が灰色である。灰色の上側および／または下側ドーム４０、１２０を使用することは、上側ドームおよび下側ドーム４０、１２０上に投じられる電子デバイス５４の影の鮮明度を向上させることができる。例えば、ドーム４０、１２０の灰色は、ライトアセンブリによって投じられる光の一部を吸収し、それによって、眩光を低減させ、影の鮮明度／鮮鋭度を増加させることができる。いくつかの実施形態では、上側ドームおよび下側ドーム４０、１２０の一方または両方は、暗い（例えば、黒色、濃灰色、またはある他の暗い色の）部分または帯域を含むことができる。例えば、ドームの一方または両方は、それらの個別の内面上に黒色帯域を含むことができる。黒色または暗い部分または帯域１３２は、光を吸収し、ドーム４０、１２０内の眩光を低減させることができる。加えて、または代替として、いくつかの実施形態では、上側および／または下側ドーム４０、１２０は、光が逃散することを可能にし、それによって、検査エリア５０内およびドーム４０、１２０の内面上の眩光を低減させるためのそれを通した１つ以上の開口を含む。暗い部分および／または開口は、電話または電子デバイス５４からの光の不要な反射（例えば、曲線状／斜角および／または縁からの反射）を低減させ、評価／選別プロセスの増加した正確度および信頼性を可能にすることができる。
【００７５】
キオスク１０が上記に説明されるように電子デバイス５４を評価した後、ユーザは、例えば、ディスプレイ１６ａ−ｂのうちの１つを介して、購入提案を提示される。購入価格は、例えば、現金、現金、商品、サービス等に償還可能なバウチャ、電子価値（例えば、ビットコイン、電子証明書、電子支払口座へのクレジット等）、クレジット（例えば、プリペイドクレジットカード、デビットカード、ギフトカード等）、クーポン、ポイント、ロイヤルティポイントの形態、および／または他の形態の価値で提案される／支払われることができる。ユーザが（例えば、ディスプレイ１６ａ−ｂのうちの１つのタッチスクリーン部分を介して、および／またはユーザインターフェースデバイス１４ａ−ｄのうちの１つを介して）提案を拒否する場合、ＭＥＳ８０は、ホーム位置（図１１Ａ）に戻り、アクセスドア１８は、開放し、コネクタ１１４は、電子デバイス５４に依然として接続されている場合、電子デバイス５４から接続解除する。いくつかの取引では、電子デバイス５４は、その元のホーム位置から検査プレート１００上で変位されてもよい。例えば、電子デバイス５４は、検査プレート１００の面と平行な方向に傾転してもよい。いくつかのそのような状況では、電子デバイス５４は、例えば、アクセスドアフレーム４６と検査プレート１００との間に挟まり得る。キオスク１０は、そのような挟まりを検出し、評価位置に向かってわずかな距離でＭＥＳ８０を後退させるように構成されることができる。ＭＥＳ８０は、アクセスドア１８が開放し、ユーザがその電子デバイス５４を回収することを可能にしている間に、本中間位置で係止されてもよい。評価位置とホーム位置との間の本中間位置（例えば、係止された中間位置）の使用は、動作の間に電子デバイス５４および／またはキオスク１０への損傷の可能性を低減させることができる。
【００７６】
ユーザが、キオスク１０からの提案を容認し、（例えば、ディスプレイ１６ａ−ｂのうちの１つのタッチスクリーン部分を介して、および／またはユーザインターフェースデバイス１４ａ−ｄのうちの１つを介して）その決定をキオスク１０に入力する場合、ＭＥＳ８０は、図１１Ｃに図示されるように、枢動軸９９を中心としてさらに下向きに回転する。いくつかの実施形態では、提案価格（例えば、現金、バウチャ、またはある他のタイプの報酬）は、（例えば、支払ディスペンサ１４ｃを介して、および／またはユーザの口座の中に電子的に）容認後にユーザに分配される。いくつかの実施形態では、ＤＥＳ３４は、ミラーフレーム１０４に係合し、それが事前決定された位置を越えて（例えば、選別位置を越えて）下に傾転することを防止するように構成される、ミラー停止部１３６を含む。例えば、ミラー停止部１３６は、ミラーフレーム１０４および／またはミラープレート１０２の一部に接触し、ミラー停止部１３６を越えて下向きにミラーアセンブリ８６の移動を防止することができる。図１１Ｄに図示されるように、ベースプレート８４は、ＭＥＳ８０が選別位置と仕分け位置との間で回転するにつれて、ベースプレート８４が１つ以上のミラー停止部１３６を越えて移動することを可能にするように構成される、１つ以上の切り欠き１４０を含むことができる。図１１Ｃに図示されるように、ミラーフレーム１０４は、ＭＥＳ８０の残りの部分が下向きに傾転している間に、（例えば、ミラー停止部１３６による干渉に起因して）ヒンジ８８に対して上向きに傾転することができる。このように検査プレート１００からミラーフレーム１０４を分離することは、電子デバイス５４が、ミラーフレーム１０４に衝打または別様に接触することなく、シュート６２に向かった方向１４２に検査プレート１００から外れて摺動することを可能にする。
【００７７】
図１２Ａは、シュート６２および関連付けられるコンポーネントの拡大立面図である。シュート６２は、可動フラップまたはパネル１４４を含むことができる。パネル１４４は、ヒンジ１４６を中心として回転するように構成されることができる。電話または他の電子デバイス５４が、パネル１４４に接触するとき、パネル１４４は、ヒンジ１４６を中心として回転し、電子デバイス５４の運動量を減衰させ、仕分けプロセスの間に電子デバイス５４への損傷の危険性を低減させることができる。平衡錘１５０が、パネル１４４の反対側のヒンジ１４６の側面上のパネル１４４に接続されることができる。平衡錘１５０は、パネル１４４を図１２Ａに図示される閉鎖位置まで付勢するために十分に重いが、電子デバイス５４がシュート６２を通して通過するにつれて、電話または電子デバイス５４がパネル１４４を偏向させることを可能にするために十分に軽くあり得る。パネル１４４を辿って摺動した後、デバイス５４は、電子デバイス５４を待機用仕分け容器１７０の中に指向するように構成される、下側プレート１４８に接触する。いくつかの実施形態では、シュート６２は、パネル１４４が偏向位置にあるときを検出するように構成される、センサ１５２（例えば、ホール効果センサまたは他のセンサ）を含む。センサ１５２が、パネル１４４が事前決定された時間周期（例えば、２秒未満、５秒未満、１０秒未満、および／または３０秒未満）よりも長く偏向位置に留まることを検出した場合、キオスク１０は、動作を停止させる、および／またはシュート６２が誤動作していることを修理人員に警告するように構成されることができる。そのような誤動作は、満杯または過度に満杯の仕分け容器、シュート６２に詰まった電子デバイス、および／または他の誤動作を含むことができる。
【００７８】
いくつかの実施形態では、図１２Ｂに図示されるように、仕分け容器１７０は、仕分け容器の下面から延在する突出部１７２（例えば、円錐形、錐体、円筒形、および／またはある他の形状）を含む。突出部１７２は、電子デバイスが、仕分け容器１７０の底部内に定着する前に突出部１７２に接触するように、定寸および成形されることができる。突出部１７２は、ダイバータとして作用し、仕分け容器１７０内の電子デバイスの分布を無作為化し、仕分け容器の他の部分が充填されていない間に仕分け容器１７０の一部のみを過度に充填する可能性を低減させることができる。いくつかの実施形態では、突出部１７２は、仕分け容器１７０の底部よりもデバイス５４のためのソフトな降着を提供する（例えば、突出部１７２は、傾転プレートと仕分け容器１７０の底部との間の電子デバイス５４の落下を断つ）。いくつかの実施形態では、キオスクのカメラのうちの１つ以上のものは、シュート６２を通した電子デバイス５４の遷移を監視し、ＤＥＳ３４からの電子デバイス５４の退出を確認するように構成されることができる。いくつかの実施形態では、仕分け容器１７０は、事前にラベルを貼られ、宛先指定され、および／または別様にいったん仕分け容器１７０がシールされると出荷の準備が完了し得る。いくつかの実施形態では、キオスク１０は、仕分け容器１７０内への包含のために推奨される充填材および／または空気パウチの量を決定し、輸送中の電子デバイスへの損傷の可能性を低減させるように構成される。そのような決定は、例えば、キオスク１０によって購入され、仕分け容器１７０に導入される電子デバイスの数およびタイプに基づく、自動体積推定に基づいて行われることができる。仕分け容器１７０は、電子デバイスが、仕分け容器１７０内の無駄な空間を縮小するように、仕分け容器１７０内の秩序正しい（例えば、同時整合および／またはスタックされた）構成で配向されることを促す、および／または確実にするためのサイズおよび形状を有することができる。いくつかの実施形態では、キオスクの保守および／または仕分け容器１７０の回収は、クラウドソースによる。いくつかの実施形態では、独立ベンダが、仕分け容器１７０内に収集される電子デバイスのタイプおよび数量を通知され、仕分け容器１７０を入札または購入し、キオスク１０から直接仕分け容器１７０を回収する機会を与えられる。
【００７９】
当業者が理解するであろうように、前述のルーチンは、キオスク１０が携帯電話等の消費者電子デバイスを再生利用または別様に処理するために使用され得る、方法のいくつかの実施例にすぎない。前述の実施例は、携帯電話との関連で説明されるが、キオスク１０およびその種々の実施形態はまた、ＭＰ３プレーヤ、タブレットコンピュータ、ＰＤＡ、および他のポータブルデバイス、およびデスクトップコンピュータ、プリンタ、ＣＤ、ＤＶＤ、Ｂｌｕ−ｒａｙ（登録商標）等の上のゲーム、娯楽、または他のデジタルメディアを再生するためのデバイス等の他の比較的にポータブルではない電子デバイス等の事実上あらゆる消費者電子デバイスを再生利用するために、類似様式で使用され得ることを理解されたい。さらに、前述の実施例は、消費者による使用との関連で説明されるが、その種々の実施形態におけるキオスク１０は、その電子デバイスの再生利用、売却、交換等で消費者を支援するために、店員等の他者によって同様に使用されることができる。
【００８０】
図１３は、修理または保守位置でのＤＥＳ３４を図示する。修理位置では、アクセスドア１８は、開放位置にあり、ＭＥＳ８０は、選別（例えば、水平）位置にある。そのような構成では、修理人員は、ミラーアセンブリ８６、下側ドームアセンブリ８７、コネクタキャリア８５へ、および／または上側ドーム４０内のアクセス開口１５０を介してＤＥＳ３４の内部の他のコンポーネントへのアクセスを有する。
【００８１】
図１４Ａは、ユーザから電子デバイス（例えば、携帯電話、タブレット等）を購入するための本技術の他の実施形態に従って構成される、キオスク１０１０の正面等角図である。キオスク１０１０の（下記に説明されるＤＥＳ１０３４の）ある特徴は、上記に説明されるキオスク１０の特徴と構造および／または機能が類似する、または同一である。キオスク１０１０のそのような特徴は、キオスク１０に関して使用されるものと同じ参照番号によって識別されるが、１０００の追加を伴う。例えば、キオスク１０１０は、キオスク１０に関して上記に説明される第１および第２のディスプレイ１６ａ−ｂと類似する、または同一である、第１および第２のディスプレイ１０１６ａ−ｂを含む。キオスク１０１０は、それぞれ、キオスク１０の高さＨ、奥行Ｄ、および幅Ｗと類似する、または同一である、高さＨ２、奥行Ｄ２、および幅Ｗ３を伴う筐体１０１２を含むことができる。
【００８２】
図１４Ｂは、キオスク１０１０の正面図であり、キオスク１０のユーザインターフェースデバイス１４ａ−ｄの配列と異なるユーザインターフェースデバイス１０１４ａ−ｄの配列を図示する。例えば、ＩＤカードリーダ１０１４ｂおよび支払ディスペンサ１０１４ｃが、電子デバイス検査エリア１０５０の片側に位置付けられる。キーパッド１０１４ａおよび／または領収書ディスペンサ１０１４ｄもまた、検査エリア１０５０の側面および／または下方に位置付けられることができる。いくつかの実施形態では、ユーザインターフェースデバイス１０１４ａ−ｄのうちの１つ以上のものが、検査エリア１０５０の上方に位置付けられる。検査エリア１０５０は、キオスク１０の面積５０よりもキオスク１０１０の側面の近くに（すなわち、キオスク１０１０の中心から遠くに）位置付けられる。検査エリア１０５０は、上記に説明される検査エリア５０の幅Ｗ２を上回る幅Ｗ４を有することができる。下記に解説されるように、検査エリア１０５０の幅Ｗ４は、コネクタキャリア８５に加えて、１つ以上のコネクタの存在に少なくとも部分的に起因し得る。
【００８３】
図１５Ａおよび１５Ｂは、それぞれ、ＤＥＳ１０３４のコンポーネントをより詳しく図示するようにキオスク１０１０から除去された、ＤＥＳ１０３４の拡大正面等角図および正面図である。ＤＥＳ１０３４は、ＤＥＳ３４のドア１８および軌道６８に関して上記に説明されるものと同一のものに類似する様式で、軌道１０６８に沿って摺動するように構成される、アクセスドア１０１８を含む。軌道１０６８に沿ったアクセスドア１０１８の移動は、検査エリア１０５０へのアクセスを禁止し、そして可能にし得る。軌道１０６８は、上側ＤＥＳ筐体１０４０に搭載されることができる。いくつかの実施形態では、軌道１０６８は、アクセスドアフレーム１０４６に搭載される。
【００８４】
使用時に、携帯電話または他の電子デバイス１０５４が、アクセスドア１０１８が上昇位置（すなわち、図１５Ａ−１５Ｂに図示される位置）にあるときに、検査エリア１０５０の中に設置される、またはそこから除去されることができる。ＤＥＳ１０３４は、上記に説明される検査プレート１００と類似する、または同一である検査プレート１１００を含むことができる。検査プレート１００は、上記に説明される検査プレート１００の移動傾転と類似する、または同一である様式で、検査プレート１１００を傾転または別様に移動させるように構成される、ＤＥＳ１０３４の他の機構に接続されることができる。簡潔にするために、上記に説明されるＤＥＳ３４の特徴と機能的および／または構造的に同等であるＤＥＳ３４の特徴は、再び説明されないであろう。
【００８５】
図１６Ａは、ＤＥＳ１０３４の検査エリア１０５０の等角図である。キオスク１０１０は、コネクタ１１４（すなわち、集合的に、一次コネクタキャリア８５のコネクタ１１４）に加えて、１つ以上の二次コネクタ１１１５ａ−ｂを含むことができる。例えば、キオスク１０１０は、コネクタ１１４の片側に位置付けられる第１の二次コネクタ１１１５ａと、コネクタ１１４の反対側に位置付けられる第２の二次コネクタ１１１５ｂとを含むことができる。第１および第２の二次コネクタ１１１５ａ−ｂ（およびコネクタ１１４）は、市販の携帯電話および他のモバイル電子デバイスの全てまたは少なくとも大部分が、一次コネクタキャリア８５に、および／または第１および第２の二次コネクタ１１１５ａ−ｂに接続され得るように、選択されることができる。例えば、いくつかの実施形態では、コネクタ１１４、１１１５ａ−ｂは、ミニＵＳＢ、マイクロＵＳＢ、ＵＳＢ−Ｃ、および／またはＬｉｇｈｔｎｉｎｇコネクタを含むことができる。第１および第２の二次コネクタ１１１５ａ−ｂを一次コネクタキャリア８５の反対側に位置付けることは、二次コネクタ１１１５ａ−ｂが折畳型電話および他の電子デバイスをオフセット接続ポートと接続するために使用されている間に、一次コネクタキャリア８５およびそのいくつかの異なるコネクタ１１４が、非折畳型電話および他の電子デバイスのために使用されることを可能にすることができる。いくつかの実施形態では、第１の二次コネクタ１１１５ａおよび第２の二次コネクタ１１１５ｂは両方とも、同一のタイプのコネクタ（例えば、ミニＵＳＢ、マイクロＵＳＢ、ＵＳＢ−Ｃ、Ｌｉｇｈｔｎｉｎｇ等）であり、他の実施形態では、第１および第２の二次コネクタ１１１５ａ−ｂは、相互と異なる。
【００８６】
上記に説明されるように、二次コネクタ１１１５ａ−ｂは、非中心位置にデータおよび／または電気コネクタを有する、折畳型電話または他の電子デバイスに適応するように位置付けられることができる。いくつかの実施形態では、二次コネクタ１１１５ａ−ｂは、非標準コネクタタイプを有する、電子デバイスに適応するように構成される。二次コネクタ１１１５ａ−ｂは、キオスク１０１０が折畳型電話を評価することを所望することをユーザが指定するまで、キオスク１０１０とともに後退されたままであるように構成されることができる。キオスク１０１０は、ユーザが、評価されるべき電子デバイスがオフセット電気コネクタを伴うデバイス（例えば、折畳型電話）であることを（例えば、ディスプレイ１０１６ａ−ｂのタッチスクリーンを介して）を示す場合に、二次コネクタ１１１５ａ−ｂの一方または両方を延在させるように構成されることができる。
【００８７】
図１６Ｂは、明確にするために棚１１１０および上側ＤＥＳ筐体１０４０が除去された、ＤＥＳ１０３４の検査エリア１０５０の等角図である。二次コネクタ１１１５ａ−ｂは、二次コネクタアセンブリ１０８９ａ−ｂに接続される。二次コネクタアセンブリ１０８９ａ−ｂは、一次コネクタキャリア８５から分離し得る。いくつかの実施形態では、二次コネクタアセンブリ１０８９ａ−ｂは、（例えば、一次コネクタキャリア８５内の１つ以上のソケットへの接続を介して）一次コネクタキャリア８５に電気的に接続される。二次コネクタアセンブリ１０８９ａ−ｂは、図２０に関して詳細に議論されるように、ベースプレート１０８４に、またはキオスク１０１０のある他の構造に搭載されることができる。
【００８８】
図１７は、コネクタキャリア８５の回転軸と平行に観察されるような一次コネクタキャリア８５および二次コネクタアセンブリ１０８９ａ−ｂの正面図である。第１の二次コネクタアセンブリ１０８９ａが、下降または後退位置に図示される一方で、第２の二次コネクタアセンブリ１０８９ｂは、上昇または延在位置に図示される。二次コネクタアセンブリ１０８９ａ−ｂの後退および延在は、評価されるべき折畳型電話を識別する、（例えば、ディスプレイ１０１６ａ−ｂのうちの１つのタッチスクリーン部分を介した、および／またはユーザインターフェースデバイス１０１４ａ−ｄのうちの１つを介した）ユーザ入力に応答して、制御されることができる。二次コネクタ１１１５ａ−ｂは、多くの折畳型電話上のデータ／充電ポートが電話の１つのセグメントの中心またはその近傍に（例えば、折畳型電話の半分または３分の１の上に）位置付けられるため、折畳型電話のために必要であり得る。そのようなポート位置付けは、折畳型電話が折畳解除されるときに、折畳型電話の中心を外れた位置にポートを置く。いくつかの実施形態では、二次コネクタアセンブリ１０８９ａ−ｂの後退および延在は、（例えば、キオスク内のカメラのうちの１つ以上のものを介した）キオスク内の折畳型電話の視覚検査および識別に応答して、制御される。例えば、電子デバイスの視覚検査は、オフセット位置における接続ポート、折畳特徴、および／または電子デバイスが折畳型電話であるという他のインジケータを明らかにしてもよい。
【００８９】
図１８Ａ−１８Ｂが、二次コネクタアセンブリ１０８９ａの等角図である一方で、図１９Ａ−１９ｂは、その分解図である。図示されるように、二次コネクタアセンブリ１０８９ａは、コネクタ１１１５ａと、コネクタホルダ１３６０と、電気ケーブル１３６２と、ベースコネクタ１３６６（例えば、ＵＳＢコネクタ等のユニバーサルケーブルコネクタ）とを含む。電気ケーブル１３６２の第１の端部分は、コネクタ１１１５ａに電気的に接続され、第２の部分は、ベースコネクタ１３６６に電気的に接続される。電話コネクタ１１１５ａを棚部材１１１０に対してその適切な位置で保持する（例えば、固定して保持する）ために、コネクタ１１１５ａは、対応するコネクタホルダ１３６０内で受容され、これは、ひいては、対応する保定ブラケット１３６４内で保持される。コネクタホルダ１３６０は、ホルダ１３６０が正しい配向で（例えば、コネクタ１１１５ａの先端が上向きに向いた状態で）対応する保定ブラケット１３６４内に位置付けられることを確実にするための非対称突出部をそのいずれか一方の側面および／または他の寸法特徴上に含むことができる。ベースコネクタ１３６６は、キオスク１０１０内の対応するコネクタソケット内で動作可能に受容される。
【００９０】
二次コネクタアセンブリ１０８９ａは、モータ１４００（例えば、電気モータ）と、モータフレーム１４０２と、カム駆動部１４０４と、被駆動ブラケット１４０８とを含む、駆動アセンブリを有することができる。モータ１４００は、モータフレーム１４０２を介してキオスク１０１０内に搭載されることができる。例えば、モータフレーム１４０２は、ベースプレート１０８４またはキオスク１０１０のある他のコンポーネントに締結または別様に接続されることができる。モータ１４００は、カム駆動部１４０４の回転を駆動するように構成されることができる。カム駆動部１４０４は、ひいては、上下の被駆動ブラケット１４０８の移動を駆動するように構成されることができる。例えば、カム駆動部１４０４は、モータ１４００の駆動シャフト１４１２を受容するように構成される、カム結合部１４１０（図１９Ａ）を含むことができる。カム駆動部１４０４は、駆動シャフト１４１２の回転（図１９Ｂ）を被駆動ブラケット１４０８の線形運動に変換するように構成されることができる。より具体的には、カム駆動部１４０４は、被駆動ブラケット１４０８のカム受容器１４１８（図１９Ａ）と係合するように構成される、カムタブ１４１６（図１９Ｂ）を含むことができる。カム受容器１４１８は、例えば、カムタブ１４１６を受容するように構成されるスロットであり得る。
【００９１】
被駆動ブラケット１４０８は、直接または間接的のいずれかで、保定ブラケット１３６４に結合されることができる。好ましくは、保定ブラケット１３６４および被駆動ブラケット１４０８は、組み立てられたときに相互に回転および平行移動して添着される。例えば、１つ以上の締結具、接着剤、または他の結合方法および構造が、被駆動ブラケット１４０８および保定ブラケット１３６４を結合するために使用されることができる。被駆動ブラケット１４０８および保定ブラケット１３６４の一方または両方は、被駆動ブラケット１４０８と保定ブラケット１３６４との間で所望の整合を維持するように構成される、整合特徴を含むことができる。被駆動ブラケット１４０８と保定ブラケット１３６４との間の整合を維持することは、所望の延在および後退方向以外の方向への被駆動ブラケット１４０８の運動の可能性を低減させることができる。整合特徴は、保定ブラケット１３６４および被駆動ブラケット１４０８の一方または両方の上に１つ以上の突出部またはくぼみを含むことができる。例えば、保定ブラケット１３６４は、被駆動ブラケット１４０８内の１つ、２つ、またはそれよりも多くのくぼみ１４２２（図１９Ｂ）に係合するように構成される、１つ、２つ、またはそれよりも多くの突出部１４２０（図１９Ａ）を含むことができる。
【００９２】
図１８Ａに戻ると、コネクタホルダ１３６０は、１つ以上の保定機構１４２４を介して保定ブラケット１３６４に結合されることができる。保定機構１４２４は、例えば、コネクタホルダ１３６０および保定ブラケット１５６４の一方または両方と解放可能に係合するように構成される、クリップまたは他の構造であり得る。保定機構１４２４は、コネクタホルダ１３６０内の保定スロット１４３２と係合するように構成される、保定タブ１４３０を含むことができる。保定機構１４２４は、ユーザがコネクタホルダ１３６０から保定機構１４２４を迅速かつ容易に解放することを可能にするように構成される、解放機構１４３４を含むことができる。例えば、解放機構１４３４は、引動または別様に操作され、保定スロット１４３２から保定タブ１４３０を解放するように構成される、フランジまたは他の突出部であり得る。
【００９３】
図２０は、図１７の切断面２０−２０に沿って得られた二次コネクタアセンブリ１０８９ａの断面図である。上記に議論されるように、二次コネクタアセンブリ１０８９ａは、ベースプレート１０８４に搭載されることができる。より具体的には、保定ブラケット１３６４および被駆動ブラケット１４０８は、ベースプレート１０８４の一部上に圧着する、または別様にそれを捕捉することができる。保定ブラケット１３６４と被駆動ブラケット１４０８との間の接続は、ベースプレート１０８４に対するコネクタアセンブリ１０８９ａの平行運動を可能にするために十分に緩い一方で、コネクタアセンブリ１０８９ａとベースプレート１０８４との間の振動の危険性を低減させるために十分に緊密であり得る。例えば、被駆動ブラケット１４０８および保定ブラケット１０６４の一方または両方は、保定ブラケット１０６４から被駆動ブラケット１４０８を離間する、間隔部分１４３０（例えば、突出部、または被駆動ブラケット１４０８と保定ブラケット１０６４との間に延在する他の構造）を含むことができる。本間隔は、ベースプレート１０８４の保定された部分１４３５が捕捉され得る、１つ以上のチャネル１４３３または軌道を形成することができる。間隔部分１４３０は、ベースプレート１０８４の保定された部分１４３５上への被駆動ブラケット１４０８および保定ブラケット１０６４の過度の緊締を阻止または防止することができる。いくつかの実施形態では、１つ以上の締結具１４３６が、少なくとも部分的に間隔部分１４３０を通して延在し、被駆動ブラケット１４０８および保定ブラケット１０６４を接続する。チャネル１４３３および保定された部分１４３５は、他の方向への二次コネクタアセンブリ１０８９ａの平行移動または回転を防止しながら、後退および延在方向への二次コネクタアセンブリ１０８９ａの線形運動を可能にするように構成されることができる。図１８Ａ−２０は、第１の二次コネクタアセンブリ１０８９ａのコンポーネントおよび特徴を図示および説明するが、第２の二次コネクタアセンブリ１０８９ｂは、構造および機能の両方が第１の二次コネクタアセンブリ１０８９ａと同じまたは実質的に同じであり得ることに留意されたい。
【００９４】
図２１は、本技術の実施形態に従って構成される、キオスク１０、１０１０のアーキテクチャの概略表現を提供する。図示される実施形態では、キオスク１０、１０１０は、システムメモリ２１０６上に記憶されたコンピュータ可読命令に従ってキオスク１０、１０１０の動作を制御する、好適なプロセッサまたは中央処理ユニット（ＣＰＵ）２１００を含む。ＣＰＵ２１００は、１つ以上のＣＰＵ、デジタル信号プロセッサ（ＤＳＰ）、特定用途向け集積回路（ＡＳＩＣ）等の任意の論理処理ユニットであってもよい。ＣＰＵ２１００は、デバイス内の単一の処理ユニットまたは複数の処理ユニットである、または複数のデバイスを横断して分散されてもよい。ＣＰＵ２１００は、メモリ２１０６に接続され、例えば、バス（例えば、ＰＣＩ  ＥｘｐｒｅｓｓまたはシリアルＡＴＡバス）の使用により、他のハードウェアデバイスに結合されてもよい。ＣＰＵ２１００は、一例として、標準パーソナルコンピュータ（ＰＣ）（例えば、ＤＥＬＬ  ＯＰＴＩＰＬＥＸ  ７０１０  ＰＣ）、またはＷｉｎｄｏｗｓ（登録商標）、Ｌｉｎｕｘ（登録商標）、Ａｎｄｒｏｉｄ、ｉＯＳ、または組込リアルタイムオペレーティングシステム等の任意の好適なオペレーティングシステムを起動する他のタイプの組込コンピュータを含むことができる。いくつかの実施形態では、ＣＰＵ２１００は、統合ハードディスクドライブ（ＨＤＤ）またはソリッドステートドライブ（ＳＳＤ）、およびユニバーサルシリアルバス（ＵＳＢ）またはキオスク１０、１０１０の他のコンポーネントと通信するための他のポートを伴う、小さい形状因子のＰＣであり得る。他の実施形態では、ＣＰＵ２１００は、別個のＨＤＤとインターフェースをとる、独立型マザーボードを伴うマイクロプロセッサを含むことができる。メモリ２１０６は、例えば、キオスクコンポーネントを制御し、（例えば、デバイスメーカ、モデル、状態、価格等を評価するために）電子デバイス情報およびデータを処理し、データおよび情報を遠隔コンピュータおよび他のデバイスと通信および交換するため等に要求される、実行可能なアプリケーション、試験ソフトウェア、データベース、および他のソフトウェアを記憶する、読取専用メモリ（ＲＯＭ）およびランダムアクセスメモリ（ＲＡＭ）、またはディスクドライブまたはＳＳＤ等の他の記憶デバイスを含むことができる。
【００９５】
ＣＰＵ２１００は、ディスプレイ画面１６、１０１６および／またはオーディオシステム（例えば、スピーカ）２１０４を介して、情報および命令をキオスクユーザに提供することができる。ＣＰＵ２１００はまた、例えば、ディスプレイ画面１６、１０１６と関連付けられるタッチスクリーン２１０８、物理的キーを伴うキーパッド、および／またはマイクロホン２１１０を介して、ユーザ入力を受信することもできる。加えて、ＣＰＵ２１００は、ＩＤリーダ１４ｂ、１０１４ｂ、１つ以上の外部カメラ２１１６、および／または指紋リーダ２１１４を介して、ユーザと関連付けられる個人識別および／またはバイオメトリック情報を受信することができる。いくつかの実施形態では、ＣＰＵ２１００はまた、カードリーダ２１１２（例えば、好適な磁気ストライプリーダ、光学リーダ等を有する、例えば、デビット、クレジット、またはポイントカードリーダ）を介して、情報（ユーザ識別および／または口座情報等）を受信することもできる。ＣＰＵ２１００はまた、ラベルディスペンサ１１０、および支払ディスペンサ１４ｃ、１０１４ｃ等の報酬をユーザに提供するためのシステム、および／または領収書またはバウチャプリンタ３２ａ−ｂ、および関連付けられるディスペンサ１４ｄ、１０１４ｄの動作を制御することもできる。
【００９６】
上記のように、キオスク１０、１０１０は、加えて、再生利用のためにその中に設置された電子デバイスを電気的、視覚的、および／または物理的に分析するためのいくつかの電子、光学、および電気機械デバイスを含む。そのようなシステムは、例えば、外部寸法および状態を決定するために電子デバイスを視覚的に検査するための１つ以上の内部カメラ６０、１２２と、例えば、電子デバイスに電源を入れ、電子分析を実施するための電気コネクタ１１４、１１１５（例えば、ＵＳＢコネクタ）のうちの１つ以上のものとを含むことができる。上記のように、カメラ６０、１２２は、上側チャンバおよび下側チャンバ４０、１０４０、および１２０に動作可能に結合されることができ、コネクタ１１４、１１１５のうちの１つ以上のものは、コネクタアセンブリ８５、１０８９によって移動可能かつ交換可能に担持されることができる。キオスク１０、１０１０はさらに、動作の間にキオスク１０、１０１０の種々の機能を実行するために電子的に作動される、複数の機械コンポーネントを含む。機械コンポーネント２１１８は、例えば、検査エリアアクセスドア１８、１０１８と、検査エリア５０、１０５０と動作可能に関連付けられる可動コンポーネントのうちの１つ以上のもの（例えば、検査プレート１００、１１００、上側チャンバおよび下側チャンバ４０、１０４０、および１２０等）とを含むことができる。キオスク１０、１０１０はさらに、キオスク動作と関連付けられる種々の電気コンポーネントの動作のためのバッテリ電力および／または設備電力を含み得る、電力２１０２を含む。
【００９７】
図示される実施形態では、キオスク１０、１０１０はさらに、通信リンク２１５０を介したあらゆる種類の遠隔処理デバイスとの通信のために好適なネットワーク接続２１２２（例えば、イーサネット（登録商標）ポート、ケーブルモデム、ＦｉｒｅＷｉｒｅケーブル、Ｌｉｇｈｔｎｉｎｇコネクタ、ＵＳＢポート等の有線接続）と、通信リンク２１５０を介した、および／または、例えば、無線ピアツーピア接続を直接介した、例えば、あらゆる種類の遠隔処理デバイスとの通信のために好適なデータ通信のための無線送受信機２１２４（例えば、それぞれ、関連付けられる１つまたは複数のアンテナを含み得る、Ｗｉ−Ｆｉアクセスポイント、Ｂｌｕｅｔｏｏｔｈ（登録商標）送受信機、近距離通信（ＮＦＣ）デバイス、および／またはＧＳＭ（登録商標）、ＣＤＭＡ、３Ｇ、４Ｇ、および／または５Ｇ技術を利用する無線モデムまたはセルラー無線等を含む）とを含む。例えば、無線送受信機２１２４は、キオスク１０、１０１０と近接またはそこから遠隔のいずれかにあるモバイルデバイス５４、１０５４、２１３０（例えば、スマートフォン）等のハンドヘルドデバイスとの無線通信を促進することができる。一例のみとして、図示される実施形態では、モバイルデバイス５４、１０５４、２１３０は、スマートフォンおよび他の公知のモバイルデバイスで一般的に見出される、１つ以上の特徴、アプリケーション、および／または他の要素を含むことができる。例えば、モバイルデバイス５４、１０５４、２１３０は、メモリ２１３６上に記憶されたコンピュータ可読命令を実行するためのＣＰＵおよび／またはグラフィックス処理ユニット（ＧＰＵ）２１３４を含むことができる。加えて、モバイルデバイス５４、１０５４は、内部電源またはバッテリ２１３２、ドックコネクタ２１４６、ＵＳＢポートまたは他の接続ポート２１４８、カメラ２１４０、および／または、例えば、タッチスクリーン２１４２、キーパッド等を含む、周知の入力デバイスを含むことができる。多くの実施形態では、モバイルデバイス５４、１０５４はまた、双方向通信およびオーディオ再生のためのスピーカ２１４４を含むこともできる。前述の特徴に加えて、モバイルデバイス５４、１０５４は、例えば、他のモバイルデバイス、ウェブサイト、およびキオスク１０、１０１０と無線で通信するための１つ以上のアンテナ２１３８を含み得る、モバイルオペレーティングシステム（ＯＳ）２１３１および／またはデバイス無線送受信機を含むことができる。そのような通信は、例えば、通信リンク２１５０（インターネット、公衆または私設イントラネット、ローカルまたは拡張Ｗｉ−Ｆｉネットワーク、携帯電話の基地局、旧来の電話システム（ＰＯＴＳ）等を含み得る）、直接無線通信等を介して、実施されることができる。
【００９８】
別様に説明されない限り、図２１に示される種々のコンポーネントの構造および動作は、従来の設計である。結果として、そのようなコンポーネントは、当業者によって容易に理解されるであろうため、本明細書にさらに詳細に説明される必要はない。他の実施形態では、キオスク１０、１０１０および／またはモバイルデバイス５４、１０５４は、上記に説明されるものと異なり得る、他の特徴を含むことができる。なおもさらなる実施形態では、キオスク１０、１０１０および／またはモバイルデバイス５４、１０５４は、上記に説明されるものに類似する、より多いまたは少ない特徴を含むことができる。
【００９９】
図２２Ａおよび２２Ｂは、本技術の実施形態による、キオスク１０、１０１０を動作させるためのルーチン２２００のフロー図である。いくつかの実施形態では、ルーチン２２００の全てまたは一部が、メモリ２１０６上に記憶されたコンピュータ可読命令に従って、図２１を参照して上記に説明されるプロセッサ２１００によって実施されることができる。最初に図２２Ａを参照すると、ルーチンは、ユーザがキオスク１０、１０１０に接近するときに開始する。ルーチン２２００は、次いで、ユーザがキオスク１０、１０１０との取引を開始する、ブロック２２０２に進む。例えば、ユーザは、キオスク１０、１０１０に接近し、ユーザが、ユーザが現在所有している電子デバイス（例えば、携帯電話）を売却することを所望することを（例えば、ディスプレイ１６、１０１６との相互作用を介して）示してもよい。
【０１００】
取引が開始された後、ルーチン２２００は、ユーザが、（例えば、ディスプレイ１６ａ−ｂ、１０１６ａ−ｂのうちの１つのタッチスクリーン部分を介して、および／またはユーザインターフェースデバイス１４ａ−ｄ、１０１４ａ−ｄのうちの１つを介して）評価されることを所望する電子デバイスのタイプを識別し得る、ブロック２２０４に進む。決定ブロック２２０６では、ルーチン２２００は、電子デバイスがキオスク１０、１０１０に無線で接続されるかどうかを決定する。例えば、無線接続を確認するステップは、電子デバイスを介してキオスクへのユーザ入力を受信するステップ、ディスプレイ１６ａ−ｂ、１０１６ａ−ｂのうちの１つの上のユーザによる入力またはユーザ入力１４ａ−ｂ、１０１４ａ−ｂのために、キオスクから電子デバイスに確認コードを無線で送信するステップ、および／または当技術分野で公知のある他の確認方法を含むことができる。該当する場合、ルーチンは、キオスクのアクセスドアが、キオスクの検査エリアへのアクセスを提供するように開放される、ブロック２２１０に進む。無線接続が電子デバイスとキオスク１０、１０１０との間に存在しない場合、ルーチンは、適切な電気コネクタ（例えば、ドッキングポート、データポート、充電ポート、および／または電子デバイスのある他のポートに接続するように構成されるコネクタ）が提示される、ブロック２２０８に進む。適切な電気コネクタを決定することは、電子デバイスのメーカ／モデルを識別するユーザ入力を（例えば、ディスプレイ１６ａ−ｂ、１０１６ａ−ｄのうちの１つのタッチスクリーン部分を介して、および／またはユーザインターフェースデバイス１４ａ−ｄ、１０１４ａ−ｄのうちの１つを介して）受信することによって、遂行されることができる。いくつかの実施形態では、ユーザは、電子デバイスのために適切な電気コネクタのタイプを選択するように（例えば、ディスプレイ１６ａ−ｂ、１０１６ａ−ｄのうちの１つを介して）求められ得る。いくつかの実施形態では、電気コネクタは、アクセスドアが開放された後に提示される。いくつかの実施形態では、電子デバイスとキオスク１０、１０１０との間の無線接続の存在下でさえも、キオスクは、有線電気コネクタをユーザに提示する。コネクタの提示は、例えば、一次コネクタキャリア８５の回転および／または二次コネクタ１１１５のうちの１つの延在を含むことができる。
【０１０１】
いくつかの実施形態では、アクセスドアが開放された後、ユーザは、そのような接続がまだ確立されていない場合、電子デバイスをキオスクに接続するように（例えば、ディスプレイ１６ａ−ｂ、１０１６ａ−ｂのうちの１つを介して）指示されるであろう。いったん電子デバイスがキオスクに接続されると、ルーチン２２００は、アクセスドアが閉鎖される、ブロック２２１４に進むことができる。アクセスドアはまた、ユーザまたは他の個人が、検査の間に電子デバイスにアクセスしないように、かつキオスク１０、１０１０の内部にアクセスすることを防止するように施錠される。
【０１０２】
図２２Ｂに図示されるように、ルーチン２２００は、キオスクの評価アセンブリがホーム位置（図１１Ａ）から評価位置（図１１Ｂ）まで回転される、ブロック２２１６に進むことができる。いくつかの実施形態では、電気コネクタは、評価アセンブリが評価位置にある前またはそのときに、電子デバイスから接続解除される。ルーチン２０００は、評価アセンブリが評価位置にある、ブロック２２２１に進むことができる。ブロック２２２０では、電子デバイスが、評価される。デバイスの評価は、デバイスの物理的状態の評価（例えば、損傷または他の磨耗を検出すること）、デバイスのタイプ（例えば、メーカおよびモデル）の確認、および／またはデバイスの機能状態（例えば、バッテリ充電、無線能力、画面機能性等）の評価を含む。これらの評価は、キオスク１０、１０１０内のデバイスの視覚検査および／または電気検査を介して、遂行されることができる。いくつかの実施形態では、視覚検査が、キオスクの１つ以上のカメラを介して電子デバイスを確認する、遠隔の人員によって実施される。いくつかの実施形態では、視覚検査は、「ＮＥＵＲＡＬ  ＮＥＴＷＯＲＫ  ＢＡＳＥＤ  ＰＨＹＳＩＣＡＬ  ＣＯＮＤＩＴＩＯＮ  ＥＶＡＬＵＡＴＩＯＮ  ＯＦ  ＥＬＥＣＴＲＯＮＩＣ  ＤＥＶＩＣＥＳ，  ＡＮＤ  ＡＳＳＯＣＩＡＴＥＤ  ＳＹＳＴＥＭＳ  ＡＮＤ  ＭＥＴＨＯＤＳ」と題され、２０１９年２月１８日に出願された米国仮特許出願第６２／８０７，１６５号（代理人整理参照番号１１１２２０−８０５４．ＵＳ００）（その開示全体は、参照することによって本明細書に組み込まれ、本開示の一部にされる）に説明されるように、少なくとも部分的に、機械学習を適用するニューラルネットワークを介して実施される。デバイス評価はまた、電子デバイスに関する購入提案を決定することを含むこともできる。いくつかの事例では、購入提案は、現金提案または均等物である。他の事例では、購入提案は、下取りクレジット、小売クレジット、またはある他の非現金補償に関し得る。デバイスの状態に応じて、提案は、金銭報酬を伴わない再生利用のみに関し得る。
【０１０３】
電子デバイスの評価および査定後に、ルーチン２２００は、提案がユーザに提示される、ブロック２２２２に進むことができる。ルーチンは、次いで、ユーザが提案を容認するか、または提案を拒否するかのいずれかである、決定ブロック２２２４に進む。ユーザが提案を拒否した場合、ルーチン２２００は、評価アセンブリがホーム位置に戻される、ブロック２２２６に進む。ブロック２２２８では、アクセスドアが、開放される。最終的に、ブロック２２３０では、電子デバイスは、アクセスドアを介してユーザに返却される。
【０１０４】
しかしながら、ユーザが提案を容認する場合、ルーチンは、ブロック２２３４に進み、（そのような接続解除がまだ起こっていなかった場合）電子デバイスから電気コネクタを接続解除する。ルーチン２２００は、次いで、評価アセンブリが仕分け位置（図１１Ｃ）までさらに回転される、ブロック２２３６に進む。仕分け位置では、検査プレートおよび／または評価アセンブリの他のコンポーネントは、電子デバイスを評価アセンブリから仕分け容器（ブロック２２３８）または他のレセプタクルまで移動させるように配向される。仕分け容器は、キオスク１０、１０１０内に、またはキオスク１０、１０１０に隣接して位置付けられることができる。好ましくは、仕分け容器は、認可されていない個人による仕分け容器内の電子デバイスへのアクセスを阻止または防止するように構成される、１つ以上のロックまたは他の機構を介して固着される。キオスク１０、１０１０のアクセスドアは、ブロック２２３４−２２４０のうちの１つ以上のものの間に閉鎖および施錠されたままであることができる。
【０１０５】
いくつかの実施形態では、ルーチンは、ブロック２２２２において決定される報酬がユーザに提供される、ブロック２２４０を含む。報酬は、キオスク支払ディスペンサ１４ｃ、１０１４ｃによって分配される、ユーザの口座に直接預金される、または別様にユーザに提供されることができる。いくつかの実施形態では、報酬は、遠隔評価設備における電子デバイスの受領および検査まで遅延される。
【０１０６】
図２３は、本技術の実施形態に従って構成される、電子デバイス再生利用システム２３００の種々の側面を実装するための好適なネットワーク環境の概略図である。図示される実施形態では、複数のキオスク１０、１０１０（個別にキオスク１００ａ、１０１０ａ−１０ｎ、１０１０ｎとして識別される）は、通信リンク２１５０を介して、１つ以上の遠隔コンピュータ（例えば、１つ以上のサーバコンピュータ２３０４）と情報を交換することができる。通信リンク２１５０は、公的に利用可能なネットワーク（例えば、ウェブインターフェースを伴うインターネット）を含むことができるが、イントラネットまたは他のネットワーク等の私設通信リンクもまた、使用されることができる。さらに、種々の実施形態では、個々のキオスク１０、１０１０が、キオスク１０、１０１０と、遠隔コンピュータ、他のキオスク、モバイルデバイス等との間の情報の交換を促進する、ホストコンピュータ（図示せず）に接続されることができる。
【０１０７】
サーバコンピュータ２３０４は、本明細書に説明される種々の電子取引を実装するために必要なウェブページ、オーディオ信号、および電子画像等の電子メッセージの受信、ルーティング、および記憶のための機能の多くまたは全てを実施することができる。例えば、サーバコンピュータ２３０４は、ウェブページおよび他のコンテンツを読み出し、関連付けられる１つまたは複数のデータベース２３０６と交換することができる。いくつかの実施形態では、データベース２３０６は、携帯電話および／または他の消費者電子デバイスに関連する情報を含むことができる。そのような情報は、例えば、メーカ、モデル、シリアル番号、国際移動機器識別（ＩＭＥＩ）番号、携帯電話会社のプラン情報、価格情報、所有者情報等を含むことができる。種々の実施形態では、サーバコンピュータ２３０４はまた、サーバエンジン２３０８と、ウェブページ管理コンポーネント２３１０と、コンテンツ管理コンポーネント２３１２と、データベース管理コンポーネント２３１４とを含むこともできる。サーバエンジン２３０８は、本明細書に説明される種々の技術と関連付けられる基本処理およびオペレーティングシステムレベルタスクを実施することができる。ウェブページ管理コンポーネント２３１０は、ウェブまたは他の表示ページの作成および／または表示および／またはルーティングをハンドリングすることができる。コンテンツ管理コンポーネント２３１２は、本明細書に説明されるルーチンと関連付けられる機能の多くをハンドリングすることができる。データベース管理コンポーネント２３１４は、データベース２３０６と関連付けられる種々の記憶、読出、およびクエリタスクを実施することができ、アニメーション、グラフィックス、視覚およびオーディオ信号等の種々の情報およびデータを記憶することができる。
【０１０８】
図示される実施形態では、キオスク１０、１０１０はまた、通信リンク２１５０を介して、複数の他の遠隔デバイスおよびシステムに動作可能に接続されることもできる。例えば、キオスク１０、１０１０は、関連付けられるブラウザ２３２０を有する、複数のユーザデバイス２３１８（例えば、パーソナルコンピュータ、ラップトップ、ハンドヘルドデバイス等）に動作可能に接続されることができる。同様に、上記に説明されるように、キオスク１０、１０１０はそれぞれ、デジタル情報を電子デバイス７３０等の無線対応電子デバイスと交換するための無線通信設備を含むことができる。キオスク１０、１０１０および／またはサーバコンピュータ２３０４はまた、データを取得する、および／または情報を必要なサービスプロバイダ、金融機関、デバイス製造業者、官庁、政府機関等と交換するための一連の遠隔コンピュータに動作可能に接続可能である。例えば、キオスク１０、１０１０およびサーバコンピュータ２３０４は、１つ以上の携帯電話会社２３２２、１つ以上のデバイス製造業者２３２４（例えば、携帯電話製造業者）、１つ以上の電子支払または金融機関２３２８、１つ以上のデータベース（例えば、ＧＳＭＡ  ＩＭＥＩデータベース等）、および１つ以上のコンピュータ、および／またはクラウドコンピューティング２３２６と関連付けられる、他の遠隔に位置する、または共有されるリソースに動作可能に接続されることができる。金融機関２３２８は、銀行、クレジット／デビットカード設備、オンライン商取引設備、オンライン支払システム、仮想現金システム、送金システム等を含む、金融取引を行うことと関連付けられるあらゆる種類のエンティティを含むことができる。
【０１０９】
前述に加えて、キオスク１０、１０１０およびサーバコンピュータ２３０４また、再販売市場２３３０およびキオスクオペレータ２３３２に動作可能に接続されることもできる。再販売市場２３３０は、電子および実店舗チャネルの両方を通した、消費者電子デバイスの再販売と関連付けられる遠隔コンピュータおよび／またはサービスプロバイダのシステムを表す。そのようなエンティティおよび設備は、例えば、使用済み電子デバイスを再販売するため、およびそのようなデバイスの市場価格を確立するためのオンラインオークションと関連付けられることができる。キオスクオペレータ２３３２は、キオスク１０、１０１０のネットワークのあらゆる種類の動作を制御するための中央コンピュータまたはコンピュータのシステムであり得る。そのような動作は、例えば、遠隔監視およびキオスク保守の促進（例えば、キオスク機能性の遠隔試験、動作ソフトウェアおよび更新のダウンロード等）、点検（例えば、現金および他の消耗品の周期的補充）、性能等を含むことができる。加えて、キオスクオペレータ２３３２はさらに、キオスク１０、１０１０のそれぞれに位置するカメラ（例えば、上記に説明されるカメラ６０、１２２のうちの１つ以上のもの）に動作可能に接続される、１つ以上のディスプレイ画面を含むことができる。本遠隔視認能力は、オペレータ人員が、取引の間にリアルタイムでユーザ識別を検証する、および／または他の視覚観察を行うことを可能にする。
【０１１０】
電子デバイス再生利用システム２３００の前述の説明は、本明細書に説明される種々の技術を実装するために好適な１つの可能性として考えられるネットワークシステムを図示するにすぎない。故に、当業者は、本技術と一致する他のシステムが、図２３を参照して説明される設備のうちの１つ以上のものを省略し得る、または図２３に詳細に説明されていない１つ以上の付加的設備を含み得ることを理解するであろう。
【０１１１】
キオスク１０、１０１０、モバイルデバイス２３３０、５４、および１０５４、サーバコンピュータ２３０４、ユーザコンピュータまたはデバイス２３１８等は、１つ以上の中央処理ユニットまたは他の論理処理回路と、メモリと、入力デバイス（例えば、キーボードおよびポインティングデバイス）と、出力デバイス（例えば、ディスプレイデバイスおよびプリンタ）と、記憶デバイス（例えば、磁気、ソリッドステート、固定およびフロッピー（登録商標）ディスクドライブ、光学ディスクドライブ等）とを含むことができる。そのようなコンピュータは、オペレーティングシステム、１つ以上のアプリケーションプログラム（例えば、文書処理またはスプレッドシートアプリケーション）、および同等物等の他のプログラムモジュールを含むことができる。コンピュータは、無線リンクを介してインターネットと通信する、携帯電話、携帯情報端末（ＰＤＡ）、パームトップコンピュータ、タブレットコンピュータ、ノートブックおよびラップトップコンピュータ等の無線コンピュータ、デスクトップコンピュータ、電子書籍リーダ、音楽プレーヤ、ＧＰＳデバイス、スマートウォッチおよびＧｏｏｇｌｅ（Ｒ）  ＧｌａｓｓＴＭ等のウェアラブルコンピュータを含むことができる。コンピュータは、種々のタイプのアプリケーションを起動するようにプログラムされ得る、汎用デバイスであってもよい、またはそれらは、特定の機能または機能の部類に最適化または限定される専用デバイスであってもよい。本発明の側面は、種々の他のコンピューティング環境で実践されてもよい。
【０１１２】
インターネットが示されているが、イントラネット等の私設ネットワークが、本明細書では同様に使用されることができる。ネットワークは、コンピュータが他のクライアントコンピュータにサービス提供することに専念している、クライアント・サーバアーキテクチャを有することができる、または１つ以上のコンピュータが同時にサーバおよびクライアントとしての役割を果たす、ピアツーピア等の他のアーキテクチャを有することができる。サーバコンピュータに結合される、１つまたは複数のデータベースは、ユーザコンピュータの間で交換されるウェブページおよびコンテンツの大部分を記憶する。データベースを含む、サーバコンピュータは、システム上の悪意のある攻撃を阻止するため、およびその中に記憶されたメッセージおよびデータの完全性を留保するためのセキュリティ対策（例えば、ファイアウォールシステム、メッセージ暗号化および／または認証（例えば、トランスポートレイヤーセキュリティ（ＴＬＳ）またはセキュアソケットレイヤー（ＳＳＬ）を使用する）、パスワード保護方式、記憶されたデータの暗号化（例えば、信頼できるコンピューティングハードウェアを使用する）、および同等物）を採用することができる。
【０１１３】
当業者は、本発明の概念が、場所ベースまたはインターネット以外の種々の環境で使用され得ることを理解するであろう。一般に、表示記述は、ＨＴＭＬ、ＸＭＬ、またはＷＡＰ形式、Ｅメール形式、または情報を表示するために好適な任意の他の形式（文字／コードベースの形式、アルゴリズムベースの形式（例えば、ベクトルが発生される）、ビットマップ形式を含む）であり得る。また、ローカルエリアネットワーク、広域ネットワーク、またはポイントツーポイントダイヤルアップ接続等の種々の通信チャネルが、インターネットの代わりに使用されることができる。本システムは、クライアント／サーバ環境ではなく単一のコンピュータ環境内で運営されることができる。また、ユーザコンピュータは、それを通して商業または非商業取引が行われ得る、テレビベースのシステムおよび種々の他の消費者製品等のサーバコンピュータと相互作用するハードウェアまたはソフトウェアの任意の組み合わせを備えることができる。本明細書に説明される本発明の種々の側面は、任意のＥメール環境で、またはそのために実装されることができる。
【０１１４】
要求されないが、本発明の側面は、データ処理デバイス、例えば、サーバコンピュータ、無線デバイス、またはパーソナルコンピュータによって実行されるルーチン等のコンピュータ実行可能命令の一般的状況で説明される。当業者は、本発明の側面が、インターネットアプライアンス、ハンドヘルドデバイス（携帯情報端末（ＰＤＡ）を含む）、ウェアラブルコンピュータ、あらゆる種類のセルラー方式または携帯電話（ボイスオーバＩＰ（ＶｏＩＰ）電話を含む）、ダム端末、メディアプレーヤ、ゲームデバイス、マルチプロセッサシステム、マイクロプロセッサベースまたはプログラマブル消費者電子機器、セットトップボックス、ネットワークＰＣ、ミニコンピュータ、メインフレームコンピュータ、および同等物を含む、他の通信、データ処理、またはコンピュータシステム構成を用いて実践され得ることを理解するであろう。実際に、用語「コンピュータ」、「サーバ」、「ホスト」、「ホストシステム」、および同等物は、概して、本明細書では同義的に使用され、上記のデバイスおよびシステムのうちのいずれか、および任意のデータプロセッサを指す。
【０１１５】
本発明の側面は、本明細書に詳細に解説されるコンピュータ実行可能命令のうちの１つ以上のものを実施するように具体的にプログラム、構成、または構築される、専用コンピュータまたはデータプロセッサで具現化されることができる。ある機能等の本発明の側面は、専ら単一のデバイス上で実施されるものとして説明されるが、本発明はまた、機能またはモジュールが、ローカルエリアネットワーク（ＬＡＮ）、広域ネットワーク（ＷＡＮ）、またはインターネット等の通信ネットワークを通してリンクされる、異種処理デバイスの間で共有される、分散環境で実践されることもできる。分散コンピューティング環境では、プログラムモジュールが、ローカルおよび遠隔メモリ記憶デバイスの両方の中に位置してもよい。
【０１１６】
当業者は、本明細書に説明されるルーチンおよび他の機能および方法が、特定用途向け集積回路（ＡＳＩＣ）として、デジタル信号処理（ＤＳＰ）集積回路によって、従来のプログラムされた論理アレイおよび／または回路要素を通して、実装され得ることを理解するであろう。実施形態の多くが、ハードウェア（例えば、タスクのために具体的に設計される、１つ以上の集積回路）で実装されるものとして示され、説明されるが、そのような実施形態は、ソフトウェアで等しく実装され、１つ以上のプロセッサによって実施され得る。そのようなソフトウェアは、半導体チップ内に記憶されたマイクロコード等の任意の好適なコンピュータ可読媒体上に記憶される、コンピュータ可読ディスク上に記憶される、またはサーバからダウンロードされ、クライアントにおいてローカルで記憶されることができる。
【０１１７】
本発明の側面は、磁気または光学可読コンピュータディスク、配線または事前プログラムされたチップ（例えば、ＥＥＰＲＯＭ半導体チップ）、ナノ技術メモリ、生物学的メモリ、または他のデータ記憶媒体を含む、有形コンピュータ可読媒体上に記憶または分散されてもよい。代替として、本発明の側面下のコンピュータ実装命令、データ構造、画面表示、および他のデータが、ある時間周期にわたって、伝搬媒体（例えば、電磁波、音波等）上の伝搬される信号上で、インターネットを経由して、または他のネットワーク（無線ネットワークを含む）を経由して分散されてもよい、またはそれらは、任意のアナログまたはデジタルネットワーク（パケット交換、回路交換、または他の方式）上で提供されてもよい。具体的回路が上記に説明されるが、当業者は、任意の論理決定がソフトウェアで構成される、マイクロプロセッサベースのシステムも使用され得ることを認識するであろう。
【０１１８】
前述の説明の全体を通した特徴、利点、または類似用語の言及は、本技術を用いて実現され得る特徴および利点の全てが、本発明の任意の単一の実施形態内にあるはずである、またはあることを含意しない。むしろ、特徴および利点を指す用語は、実施形態に関連して説明される具体的特徴、利点、または特性が、本技術の少なくとも１つの実施形態に含まれることを意味すると理解される。したがって、本明細書の全体を通した、特徴および利点、および類似用語の議論は、必ずではないが、同一の実施形態を指し得る。
【０１１９】
さらに、本技術の説明される特徴、利点、および特性は、１つ以上の実施形態において任意の好適な様式で組み合わせられてもよい。当業者は、本技術が、特定の実施形態の具体的特徴または利点のうちの１つ以上のものを伴わずに実践され得ることを認識するであろう。他の事例では、本技術の全ての実施形態に存在するわけではない場合がある、付加的特徴および利点が、ある実施形態において認識され得る。
【０１２０】
付随する出願書に列挙され得る任意のものを含む、上記に記述される任意の特許および出願および他の参考文献が、任意の主題の免責条項または否認を除いて、かつ組み込まれる資料が本明細書の明示的開示と一貫しない場合を除き、参照することによって全体として本明細書に組み込まれ、その場合、本開示内の用語が優先する。本発明の側面は、必要である場合、上記に説明される種々の参考文献のシステム、機能、および概念を採用し、本発明のその上さらなる実装を提供するために、修正されることができる。
【０１２１】
文脈が別様に明確に要求しない限り、説明および請求項の全体を通して、用語「ｃｏｍｐｒｉｓｅ」、「ｃｏｍｐｒｉｓｉｎｇ」（〜を備える）、および同等物は、排他的または包括的な意味とは対照的に、包含的な意味で、すなわち、「限定ではないが、〜を含む」という意味で解釈されるものである。本明細書で使用されるように、用語「接続される」、「結合される」、またはその任意の変異型は、２つ以上の要素の間の直接的または間接的のいずれかである任意の接続または結合を意味し、要素の間の結合または接続は、物理的、論理的、またはそれらの組み合わせであり得る。加えて、用語「本明細書で」、「上記に」、「下記に」、および類似する趣旨の用語は、本願で使用されるときに、本願のいずれの特定の部分でもなく、全体として本願を指す。文脈が許す場合、単数または複数を使用する、上記の詳細な説明内の用語はまた、それぞれ、複数または単数を含んでもよい。２つ以上の項目のリストを参照した用語「または」は、用語の以下の解釈の全て、すなわち、リスト内の項目のうちのいずれか、リスト内の項目の全て、およびリスト内の項目の任意の組み合わせを網羅する。
【０１２２】
上記の説明は、本発明の種々の実施形態および検討される最良の様態を説明するが、上記のテキストの詳細の程度にかかわらず、本発明は、多くの方法で実践されることができる。システムの詳細は、その具体的実装が著しく変動し得る一方で、依然として、本技術によって包含される。上記のように、本発明のある特徴または側面を説明するときに使用される特定の用語は、用語が、その用語が関連付けられる本発明の任意の具体的特性、特徴、または側面に制限されるように本明細書で再定義されていることを含意するととられるべきではない。一般に、以下の請求項で使用される用語は、上記の詳細な説明の節が、そのような用語を明示的に定義しない限り、本発明を本明細書に開示される具体的実施例に限定すると解釈されるべきではない。故に、本発明の実際の範囲は、開示される実施例だけではなく、請求項の下で本発明を実践または実装する全ての同等の方法も包含する。
【０１２３】
前述から、本発明の具体的実施形態は、例証の目的のために本明細書に説明されたが、種々の修正が、本発明の種々の実施形態の精神および範囲から逸脱することなく行われ得ることを理解されたい。さらに、本発明のある実施形態と関連付けられる種々の利点が、それらの実施形態との関連で上記に説明されたが、他の実施形態もまた、そのような利点を呈し得、全ての実施形態が、必ずしも本発明の範囲内に該当するようにそのような利点を呈する必要はない。故に、本発明は、添付される請求項による場合を除いて、限定されない。
【０１２４】
本発明のある側面が、ある請求項の形態で下記に提示されるが、出願人は、任意の数の請求項の形態で本発明の種々の側面を検討する。故に、出願人は、本願を出願した後に付加的請求項を追求し、本願または継続出願のいずれかで、そのような付加的請求項の形態を追求する権利を留保する。
【図１】
2021530786.tif 000003
【図２】
2021530786.tif 000004
【図３】
2021530786.tif 000005
【図４】
2021530786.tif 000006
【図５】
2021530786.tif 000007
【図６】
2021530786.tif 000008
【図７Ａ】
2021530786.tif 000009
【図７Ｂ】
2021530786.tif 000010
【図７Ｃ】
2021530786.tif 000011
【図７Ｄ】
2021530786.tif 000012
【図７Ｅ】
2021530786.tif 000013
【図７Ｆ】
2021530786.tif 000014
【図７Ｇ】
2021530786.tif 000015
【図８】
2021530786.tif 000016
【図９】
2021530786.tif 000017
【図１０Ａ】
2021530786.tif 000018
【図１０Ｂ】
2021530786.tif 000019
【図１１Ａ】
2021530786.tif 000020
【図１１Ｂ】
2021530786.tif 000021
【図１１Ｃ】
2021530786.tif 000022
【図１１Ｄ】
2021530786.tif 000023
【図１２Ａ】
2021530786.tif 000024
【図１２Ｂ】
2021530786.tif 000025
【図１３】
2021530786.tif 000026
【図１４Ａ】
2021530786.tif 000027
【図１４Ｂ】
2021530786.tif 000028
【図１５Ａ】
2021530786.tif 000029
【図１５Ｂ】
2021530786.tif 000030
【図１６Ａ】
2021530786.tif 000031
【図１６Ｂ】
2021530786.tif 000032
【図１７】
2021530786.tif 000033
【図１８Ａ】
2021530786.tif 000034
【図１８Ｂ】
2021530786.tif 000035
【図１９Ａ】
2021530786.tif 000036
【図１９Ｂ】
2021530786.tif 000037
【図２０】
2021530786.tif 000038
【図２１】
2021530786.tif 000039
【図２２Ａ】
2021530786.tif 000040
【図２２Ｂ】
2021530786.tif 000041
【図２３】
2021530786.tif 000042
【国際調査報告】
2021530786.tif 000043
2021530786.tif 000044
2021530786.tif 000045